(57)【特許請求の範囲】
【請求項１】
外部のデータベースに記憶された各種データのそれぞれを特定するためのデータを含むメッセージデータを、無線通信回線を介して受信する受信手段と、
この受信手段によって受信されたメッセージデータに含まれる前記特定するためのデータに基づいて前記外部のデータベースに接続して、対応するデータをダウンロードするダウンロード手段と、
前記受信手段によって受信された前記特定するためのデータによって特定されるデータとメッセージデータとを対応付けて記憶する記憶手段と、
この記憶手段に記憶されたメッセージデータを読み出す読出手段と、
この読出手段によってメッセージデータが読み出されると、このメッセージデータに対応付けられて記憶された前記特定されるデータに基づいて、前記ダウンロード手段により対応するデータが既にダウンロードされているか否かを判別する判別手段と、
この判別手段による判別結果を、前記読み出されたメッセージデータと共に表示する表示手段と
を備えたことを特徴とする携帯通信端末。
【請求項２】
前記記憶手段は、前記受信された前記特定するためのデータによって特定されるデータとメッセージデータとを対応付けて複数組記憶し、
前記記憶手段に複数記憶されているメッセージデータと、このメッセージデータに対応付けられて記憶されている前記特定されるデータに対応するデータが既にダウンロードされているか否かを判別するための表示情報とをリスト表示するリスト表示手段を
更に備えたことを特徴とする請求項１に記載の携帯通信端末。
【請求項３】
前記記憶手段に記憶されるメッセージデータ、若しくは前記特定されるデータに対応して、この特定されるデータに対応するデータが既にダウンロードされたか否かを示すフラグ情報を記憶するフラグ情報記憶手段を
更に備えたことを特徴とする請求項１または２に記載の携帯通信端末。
【請求項４】
前記ダウンロード手段によりダウンロードされたデータを記憶するダウンロードデータ記憶手段を
更に備えたことを特徴とする請求項１乃至３の何れかに記載の携帯通信端末。
【請求項５】
自端末への呼び出しを検出する検出手段を更に備え、
前記受信手段は、この検出手段による呼び出しに続いて前記特定するためのデータを含むメッセージデータを受信することを特徴とする請求項１乃至４の何れかに記載の携帯通信端末。
【請求項６】
外部のデータベースに通信回線を介して接続し、各種データをダウンロードする携帯通信端末の表示方法であって、
前記外部のデータベースに記憶された各種データのそれぞれを特定するためのデータを含むメッセージデータを、無線通信回線を介して受信し、
その受信されたメッセージデータに含まれる前記特定するためのデータに基づいて前記外部のデータベースに接続して、対応するデータをダウンロードし、
前記受信された前記特定するためのデータによって特定されるデータとメッセージデータとを対応付けて記憶し、
その記憶されたメッセージデータが読み出されると、このメッセージデータに対応付けられて記憶された前記特定されるデータに基づいて、前記対応するデータが既にダウンロードされているか否かを判別し、
その判別結果を、前記読み出されたメッセージデータと共に表示させる
ことを特徴とする携帯通信端末の表示方法。
【発明の詳細な説明】
【０００１】
【発明の属する技術分野】
本発明は、無線呼出し等の通信システムに適用される携帯通信端末、および、その表示方法に関する。
【０００２】
【従来の技術】
従来の電話回線を使用して文字情報の送受を行う通信システムとして、無線ページングシステムやホームバンキングシステムなどがある。これらの通信システムにおいて、特にページングシステムは、最近の急激な需要の増加に伴って標準規格「ＲＣＲ  ＳＴＤ−４３」（以下ＲＣＲ  ＳＴＤ−４３と記す）が実用化されている。
【０００３】
まず、このＲＣＲ  ＳＴＤ−４３について簡単に説明する。このＲＣＲ  ＳＴＤ−４３に採用されるデータ構成を図５９に示す。図５９において、参照符号１０１は１時間に送信されるデータ構成を示す。参照符号１０２は１サイクルのデータ構成（以下、サイクル構成という）を示す。参照符号１０３は１フレームのデータ構成（以下、フレーム構成という）を示す。データ構成７０は、“０”から“１４”までの番号が付けられた１５サイクルよりなり、１時間に１５サイクルが送信される。サイクル構成７１は、“０”から“１２７”までの番号が付けられた１２８フレームよりなり、４分間に送信される１２８フレームが送信される。１フレームのデータの送信時間は１．８７５秒であり、１分間に３２フレームのデータが送信される。フレーム構成１０３は、１フレーム分のデータの構成を示し、そのデータ内容に応じて８つに区分されている。
【０００４】
フレーム構成７２は、同期部１（Ｓ１）１０３Ａ、フレーム情報（ＦＩ）１０３Ｂ、同期部２（Ｓ２）１０３Ｃ、ブロック情報部（ＢＩ）１０３Ｄ、アドレスフィールド（ＡＦ）１０３Ｅ、ベクトルフィールド（ＶＦ）１０３Ｆ、メッセージフィールド（ＭＦ）１０３Ｇ、及びアイドルブロック（ＩＢ）１０３Ｈより構成されている。
【０００５】
同期部１（Ｓ１）１０３Ａには、２値ＦＳＫ変調された１６００ｂｐｓの１１２ビットから構成される。同期部１（Ｓ１）１０３Ａは、ブロック情報（ＢＩ）１０３Ｄ以降で送信されるデータの変調方式／伝送速度が、
２値ＦＳＫ方式／１６００ｂｐｓ
２値ＦＳＫ方式／３２００ｂｐｓ
４値ＦＳＫ方式／３２００ｂｐｓ
４値ＦＳＫ方式／６４００ｂｐｓ
の内の何れであるかを規定する情報が格納される。
【０００６】
フレーム情報（ＦＩ）１０３Ｂは、２値ＦＳＫ変調された１６００ｂｐｓの３２ビットを１ワードとして、１ブロックで構成される。フレーム情報（ＦＩ）１０３Ｂには、フレーム番号、サイクル番号、送信回数を規定する情報などが格納されている。同期部２（Ｓ２）１０３Ｃには、同期部１（Ｓ１）１０３Ａで規定された変調方式や伝送速度で受信タイミングをとるためのタイミング情報が格納されている。
【０００７】
ブロック情報（ＢＩ）１０３Ｄからアイドルブロック（ＩＢ）１０３Ｈに格納された情報は、同期部１（Ｓ１）１０３Ａで規定された変調方式／受信速度で送信され、１６０ｍｓ単位１ブロックのインターリーブデータが１１個で構成される。ブロック情報部（ＢＩ）１０３Ｄには、後述のアドレスフィールド（ＡＦ）１０３Ｅ及びベクトルフィールド（ＶＦ）１０３Ｆの起点となるワード番号やワード数等の情報が格納される。アドレスフィールド（ＡＦ）１０３Ｅには、ページング先のアドレスデータが格納される。ベクトルフィールド（ＶＦ）１０３Ｆには、メッセージフィールド（ＭＦ）１０３Ｇの起点となるワード番号、ワード数等の情報が格納される。メッセージフィールド（ＭＦ）１０３Ｇには、ベクトルフィールド（ＶＦ）１０３Ｆで規定されたデータの形態に応じたメッセージデータが格納される。アイドルブロック（ＩＢ）１０３Ｈは、未使用ブロックであり、ここには“１”又は“０”のパターンがセットされる。
【０００８】
このＲＣＲ  ＳＴＤ−４３を利用すると、ページングサービスを提供するページングセンターは、加入者の個別呼出サービスに加えて、天気予報、株価情報等の種々のサービス内容の情報メッセージを、一度に大量に加入者（サービス契約者）の所持するページャーに提供することができる情報提供サービスを実施することができる。
【０００９】
また、加入者（ページャーのユーザー、以下ユーザーと記す）の所持するページャーも、上記「情報提供サービス」の受信を希望することにより、情報提供会社から提供される様々なサービス内容の情報メッセージを受信することができる。
【００１０】
【発明が解決しようとする課題】
しかしながら、ユーザーのページャーへ一度に大量のデータを送信できるＲＣＲ  ＳＴＤ−４３であっても、規定されている送信フォーマットでは短い文章であり、送信できるデータ量にも限界がある。
【００１１】
また、ページングシステムを利用した情報提供サービスのサービス内容も、ビジネス情報から、その受信エリアに関連した地域情報まで様々あるため、ユーザーの提供される情報内容へのニーズは、為替相場等の定形のフォーマットで表現できる情報から、個人売買やコンサートチケット情報等の規定されたフォーマットでは表現が困難な情報へ変化しつつある。
【００１２】
したがって、情報提供会社（サービスセンター）でも、上記ニーズに合わせて、規定されたフォーマットでは表現が困難な情報の提供を試みている。しかしながら、本来よりページャーは、ＲＣＲ  ＳＴＤ−４３に適合したものであって、規定されたフォーマットのデータしか受信することができない。また、内部のメモリの容量の問題から、規格以外のフォーマット形式のデータを一度に大量に受信することができない。
【００１３】
また、これとは対照的に、パーソナル・コミュニケーション・サービス（ＰＣＳ）・システムを利用しセルラーフォンと、ノート型のパーソナルコンピューターとを接続して、画像や電子メール等の各種フォーマットのデータファイルを互いに送受信したり、ユーザーが雇用されている企業のデータベースから所望のデータファイルをダウンロードする方法が従来から知られている。しかしながら、上記方法では、例えばユーザーが、セルラーフォンと上記データベースとを回線接続し、データベースに蓄積された情報をノート型のパーソナルコンピューターにダウンロードする際、ユーザーはデータベースを検索しなければ、ダウンロードすべきデータファイルがどれなのかわからない場合があった。
【００１４】
さらに、このセルラーフォンを利用した電子メールサービスの場合、ページャーよりもサービスエリアが狭く、周囲の環境によっては受信データにデータ化け等の障害も頻繁に発生するといった問題もあった。
【００１５】
一方、セルラーフォンを携帯端末に接続してデータを送受信する方法が従来から知られている。しかしながら、セルラーフォンは、“０”または“１”のビット列のデータを音声信号に変換して送受信する。このため、セルラーフォンとセンターとを回線接続し、センターのデータベースに蓄積された情報が携帯端末にダウンロードされるまで、ユーザーは、どのような情報が送られてくるかを知ることができない。周囲の環境によって電波状態が悪いときには、送受信されるデータが本来のデータとは異なる場合があった。さらに、セルラーフォンのサービスエリアは、ページャーよりも狭く、ユーザーがいる場所によっては情報を受信できない場合もあった。
【００１７】
本発明の課題は、データベースにどのようなデータファイルが蓄積されたかをページングシステム等の無線通信システムを利用することによって確認でき、ユーザが受信したデータの内容を確認した後で蓄積されたデータファイルをダウンロードすることができ、更に受信したメッセージデータを確認した際、データファイルが既にダウンロードされたか否かを確認することがきる携帯通信端末、および、その表示方法を提供することである。
【００１８】
【課題を解決するための手段】
請求項１記載の発明は、
外部のデータベースに記憶された各種データのそれぞれを特定するためのデータを含むメッセージデータを、無線通信回線を介して受信する受信手段と、
この受信手段によって受信されたメッセージデータに含まれる前記特定するためのデータに基づいて前記外部のデータベースに接続して、対応するデータをダウンロードするダウンロード手段と、
前記受信手段によって受信された前記特定するためのデータによって特定されるデータとメッセージデータとを対応付けて記憶する記憶手段と、
この記憶手段に記憶されたメッセージデータを読み出す読出手段と、
この読出手段によってメッセージデータが読み出されると、このメッセージデータに対応付けられて記憶された前記特定されるデータに基づいて、前記ダウンロード手段により対応するデータが既にダウンロードされているか否かを判別する判別手段と、
この判別手段による判別結果を、前記読み出されたメッセージデータと共に表示する表示手段と、
を備えたことを特徴としている。
【００１９】
この請求項１記載の発明の携帯通信端末によれば、
外部のデータベースに記憶された各種データのそれぞれを特定するためのデータを含むメッセージデータを、無線通信回線を介して受信する受信手段と、この受信手段によって受信されたメッセージデータに含まれる前記特定するためのデータに基づいて前記外部のデータベースに接続して、対応するデータをダウンロードするダウンロード手段と、前記受信手段によって受信された前記特定するためのデータによって特定されるデータとメッセージデータとを対応付けて記憶する記憶手段と、この記憶手段に記憶されたメッセージデータを読み出す読出手段と、この読出手段によってメッセージデータが読み出されると、このメッセージデータに対応付けられて記憶された前記特定されるデータに基づいて、前記ダウンロード手段により対応するデータが既にダウンロードされているか否かを判別する判別手段と、この判別手段による判別結果を、前記読み出されたメッセージデータと共に表示する表示手段と、が備えられている。
【００２０】
したがって、前記読出手段により記憶手段からメッセージデータが読み出された際、このメッセージデータに対応付けられて記憶された前記特定されるデータに対応するデータが既にダウンロードされているか否かが表示されるので、ユーザは受信したメッセージの内容と、対応するデータが既にダウンロードされたか否かを容易に確認できる。
【００２１】
請求項２記載の発明は、請求項１記載の発明において前記記憶手段は、前記受信された前記特定するためのデータによって特定されるデータとメッセージデータとを対応付けて複数組記憶し、
前記記憶手段に複数記憶されているメッセージデータと、このメッセージデータに対応付けられて記憶されている前記特定されるデータに対応するデータが既にダウンロードされているか否かを判別するための表示情報とをリスト表示するリスト表示手段を更に備えたことを特徴としている。
【００２２】
この請求項２記載の発明の携帯通信端末によれば、請求項１記載の発明に加え、前記記憶手段は前記受信された前記特定するためのデータによって特定されるデータとメッセージデータとを対応付けて複数組記憶し、前記記憶手段に複数記憶されているメッセージデータと、このメッセージデータに対応付けられて記憶されている前記特定されるデータに対応するデータが既にダウンロードされているか否かを判別するための表示情報とをリスト表示するリスト表示手段が更に備えられている。
【００２３】
したがって、前記携帯通信端末のユーザーは、受信したメッセージデータのリスト表示の際、このメッセージデータに対応付けられて記憶されている前記特定されるデータに対応するデータが既にダウンロードされているか否かを一度に確認することができる。
【００２４】
請求項３記載の発明は、請求項１または２記載の発明に、
前記記憶手段に記憶されるメッセージデータ、若しくは前記特定されるデータに対応して、この特定されるデータに対応するデータが既にダウンロードされたか否かを示すフラグ情報を記憶するフラグ情報記憶手段を更に備えたことを特徴としている。
【００２５】
この請求項３記載の発明の携帯通信端末によれば、請求項１または２記載の発明に加え、前記記憶手段に記憶されるメッセージデータ、若しくは前記特定されるデータに対応して、この特定されるデータに対応するデータが既にダウンロードされたか否かを示すフラグ情報を記憶するフラグ情報記憶手段が更に備えられる。
【００２６】
したがって、前記特定されるデータに対応するデータがダウンロード済みか否かをフラグ情報で管理するので、メッセージデータの読み出しの際、直ちにダウンロードされたか否かを表示させることができる。
【００２７】
請求項４記載の発明は、請求項１乃至３の何れかに記載の発明に、
前記ダウンロード手段によりダウンロードされたデータを記憶するダウンロードデータ記憶手段を更に備えたことを特徴としている。
【００２８】
この請求項４記載の発明の携帯通信端末によれば、請求項１乃至３記載の発明に加え、前記ダウンロード手段によりダウンロードされたデータを記憶するダウンロードデータ記憶手段が更に備えられる。
【００２９】
したがって、ダウンロードされたデータをいつでも読み出して再生出力させることができる。
【００３０】
請求項５記載の発明は、請求項１乃至４の何れかに記載の発明に、
自端末への呼び出しを検出する検出手段を更に備え、
前記受信手段は、この検出手段による呼び出しに続いて前記特定するためのデータを含むメッセージデータを受信することを特徴としている。
【００３１】
この請求項５記載の発明の携帯通信端末によれば、請求項１乃至４の何れかに記載の発明に加え、自端末への呼び出しを検出する検出手段が更に備えられ、前記受信手段は、この検出手段による呼び出しに続いて前記特定するためのデータを含むメッセージデータを受信する。
【００３２】
したがって、ユーザーは呼び出しを確認した後、直ちにメッセージデータと前記特定されるデータを確認することができる。
【００３３】
請求項６記載の発明は、
外部のデータベースに通信回線を介して接続し、各種データをダウンロードする携帯通信端末の表示方法であって、
前記外部のデータベースに記憶された各種データのそれぞれを特定するためのデータを含むメッセージデータを、無線通信回線を介して受信し、
その受信されたメッセージデータに含まれる前記特定するためのデータに基づいて前記外部のデータベースに接続して、対応するデータをダウンロードし、
前記受信された前記特定するためのデータによって特定されるデータとメッセージデータとを対応付けて記憶し、
その記憶されたメッセージデータが読み出されると、このメッセージデータに対応付けられて記憶された前記特定されるデータに基づいて、前記対応するデータが既にダウンロードされているか否かを判別し、
その判別結果を、前記読み出されたメッセージデータと共に表示させることを特徴としている。
【００３４】
この請求項６記載の発明の携帯通信端末の表示方法によれば、外部のデータベースに通信回線を介して接続し、各種データをダウンロードする携帯通信端末の表示方法は、前記外部のデータベースに記憶された各種データのそれぞれを特定するためのデータを含むメッセージデータを、無線通信回線を介して受信し、その受信されたメッセージデータに含まれる前記特定するためのデータに基づいて前記外部のデータベースに接続して、対応するデータをダウンロードし、前記受信された前記特定するためのデータによって特定されるデータとメッセージデータとを対応付けて記憶し、その記憶されたメッセージデータが読み出されると、このメッセージデータに対応付けられて記憶された前記特定されるデータに基づいて、前記対応するデータが既にダウンロードされているか否かを判別し、その判別結果を、前記読み出されたメッセージデータと共に表示させる。
【００３５】
したがって、メモリからメッセージデータが読み出された際、このメッセージデータに対応付けられて記憶された前記特定されるデータに対応するデータが既にダウンロードされているか否かが表示されるので、ユーザは受信したメッセージの内容と、対応するデータが既にダウンロードされたか否かを容易に確認できる。
【００８７】
【発明の実施の形態】
以下、図を参照して本発明の実施の形態を詳細に説明する。
【００８８】
（第１の実施の形態）
図１〜図２５は、本発明を適用した上記高度ページング方式に対応したページング通信システムの一実施の形態を示す図である。
【００８９】
まず、構成を説明する。
【００９０】
図１は、本第１の実施の形態のページングシステムのシステム構成を示す図である。このページングシステムでは、情報サービスの内容としてコンサート等のチケット情報がアーティスト毎に音声で提供される。
【００９１】
図１のページングシステムにおいて、１は公衆電話である。公衆電話１は、公衆回線網２を介してページングセンター３、サービスセンター４、パーソナルコンピュータ７等と接続されている。ここで公衆回線網２を介して単に「接続」と呼ぶ場合は、物理的な接続を意味する。以下、例えば、公衆電話１とページングセンター３とが公衆回線網２を介して論理的に接続された場合は、「回線接続」と呼ぶ。
【００９２】
ページングセンター３は、送信局（ＴＸ）５と接続されるとともに、公衆回線網２を介してサービスセンター４と接続されている。公衆回線網２には、データ通信用の赤外線モデム９とテレターミナル等で用いられるデータ通信用の受信局（ＲＸ）１１も接続されている。
【００９３】
図１のページングシステムにおいて、６、６’は、ページャーである。参照符号８は、無線によるデータ受信機能及び赤外線によるデータ通信機能を有する携帯端末（ＰＤＡ）である。参照符号１０は、無線データ通信機能を有する携帯端末である。
【００９４】
ページングセンター３は、図２に示すように、入出力回路３０１、切換部３０２、呼出番号照合部３０３、加入者メモリ３０４、音声応答回路３０５、制御部３０６、メッセージレジスタ３０７、ベクトルレジスタ３０８、アドレスレジスタ３０９、送信信号処理部３１０及びブロック情報記憶用メモリ３１１により構成されている。
【００９５】
入出力回路３０１は、公衆回線網２に接続されている。入出力回路３０１は、公衆回線網２を介して回線接続された公衆電話１から呼出対象となるページャー６、６’の呼出番号（電話番号）及びページャー６、６’に送信するメッセージ情報を入力すると共に、音声応答回路３０５からのアナウンスを回線接続された公衆電話１に対して出力する。
【００９６】
切換部３０２は、入出力回路３０１に接続されている。切り替え部３０２は、制御部３０６の制御信号に応答して、入出力回路３０１に入力された入力データの内の呼出番号を呼出番号照合部３０３に、メッセージ情報を制御部３０６に、それぞれ出力する。
【００９７】
呼出番号照合部３０３は、切換部３０２から入力された呼出番号を予め加入者メモリ３０４に登録されている複数の呼出番号と比較し、一致するものがあるか否かを判定する。
【００９８】
加入者メモリ３０４は、呼出対象となるページャー６、６’の呼出番号と、ＩＤすなわち個別呼び出しのアドレスデータ（２１ビット）とを契約している加入者毎に関連付けて記憶する。本実施の形態では、加入者メモリ３０４は、音声情報サービス受信用のアドレスデータ（ＨＣ）も記憶している（図示せず）。アドレスコードデータ（ＨＣ）は、制御部３０６の制御に従って読み出される。
【００９９】
制御部３０６は、ページングセンター３全体の動作を制御すると共に、一連のページング処理を制御する。制御部３０６は、各公衆電話１からの呼び出し要求に応答してページャー６、６’を呼び出すための処理を行う。制御部３０６は、サービスセンター４と公衆回線網２で接続されており、音声情報サービスの情報メッセージの送信に際し、サービスセンター４から専用回線を介して送られてくる契約者のページャーの、上記音声情報サービス受信用のアドレスデータに対応する呼出番号、及び情報メッセージデータに応じて、一括してページャー６、６’に送信するページング処理を行う。
【０１００】
音声応答回路３０５は、入出力回路３０１に接続され、制御部３０６の制御に従ってアナウンス内容を生成し、入出力回路３０１を介して回線接続した発呼者（公衆電話１）にこのアナウンスを出力する。
【０１０１】
メッセージレジスタ３０７は、制御部３０６の制御に従ってページャー６、６’に対して発信するメッセージデータを受け取り、格納すると共に、格納したメッセージデータを送信信号処理部３１０に出力する。メッセージレジスタ３０７は、例えば、４ビット単位の数値コード（数字データ）で構成されるメッセージデータや後述する音声情報サービスの情報メッセージの内容を識別するためのコードデータ（識別データ）を格納できる記憶容量をもっている。このメッセージレジスタ３０７に格納されたメッセージデータは、上記図５９に示したフレーム構成１０３のメッセージフィールド（ＭＦ）１０３Ｇに設定される。
【０１０２】
ベクトルレジスタ３０８は、制御部３０６の制御に従ってアドレスデータと対になるベクトルデータを格納すると共に、格納したベクトルデータを送信信号処理部２０に出力する構成を有している。
【０１０３】
アドレスレジスタ３０９は、制御部３０６の制御に従ってページャーを呼び出すアドレスデータ及びフレームデータ等の情報を受け取り、格納すると共に、格納したデータを送信信号処理部３１０に出力する。このアドレスレジスタ３０９に格納されたアドレスデータ及びフレームデータは、それぞれ図５９のフレーム構成１０３のアドレスフィールド（ＡＦ）１０３Ｅ、フレーム情報（ＦＩ）１０３Ｂに格納される。
【０１０４】
送信信号処理部３１０は、メッセージレジスタ３０７、ベクトルレジスタ３０８及びアドレスレジスタ３０９に接続されている。送信信号処理部３１０は、メッセージデータ、ベクトルデータ、アドレスデータ及びフレームデータ等の情報を取り出し、ＲＣＲ  ＳＴＤ−４３で規定されたデータ形式に変換して送信データを形成すると共に、制御部３０６の制御に従って送信データを送信局（ＴＸ）５に出力する。
【０１０５】
送信局（ＴＸ）５は、送信信号処理部３１０で形成された送信データを受け取り、受け取ったデータを変調して、この変調したデータを搬送波としてアンテナより各ページャー６、６’に無線出力する。
【０１０６】
ブロック情報記憶用メモリ３１１は、制御部３０６の制御に従って図５９のフレーム構成１０３のブロック情報（ＢＩ）１０３Ｄを設定するための設定情報を記憶する。ブロック情報記憶用メモリ３１１には、送信データに基づきアドレスフィールド（ＡＦ）１０３Ｅ及びベクトルフィールド（ＶＦ）１０３Ｆの起点となるワード番号等の情報が格納される。
【０１０７】
図１に示すサービスセンター４は、ページャー６、６’のユーザー（サービス契約者）に対して音声情報サービスを提供するため、音声情報を管理する機能や、音声情報を蓄積するデータベース機能を有する。サービスセンター４は、図３に示すように、入出力回路４１、音声出力回路４２、制御部４３、時計部４４、音声情報データベース４５、情報管理テーブル４６及びＲＡＭ４７により構成されている。
【０１０８】
入出力回路４１は、公衆回線網２に接続されている。入出力回路４１は、公衆回線網２に回線接続されている公衆電話１から音声情報の情報内容を特定するためのコードデータやメッセージデータを入力すると共に、音声出力回路４２からの音声情報を公衆回線網２を介して公衆電話１に出力する。
【０１０９】
音声出力回路４２は、入出力回路４１に接続されている。音声出力回路４２は、制御部４３の制御に従って後述する音声情報データベース４５に格納されている音声情報を読み出して生成し、入出力回路４１を介して音声情報出力依頼者（公衆電話１）にこの音声情報を出力する。音声出力回路４２は、後述するアクセス処理において応答する音声応答内容アナウンス▲１▼〜▲３▼も内部メモリに格納している。
【０１１０】
制御部４３は、サービスセンター４全体の動作を制御する。制御部４３は、音声情報サービスに際して、予め設定された時間間隔で送信依頼されたデータを一斉出力する。制御部４３は、また、各公衆電話１あるいは受信局（ＲＸ）１１から送られてくる当該音声情報サービスに関する、音声情報の出力依頼、若しくは提供処理の要求に応答して、音声情報出力処理及び音声情報格納処理等を制御する。制御部４３は、ページングセンター３と公衆回線網２で接続されており、当該音声情報サービスに関連する、アドレスデータ＃Ｃによる呼出依頼の為の呼出番号と、サブアドレスデータ、コードデータ、若しくはフリーワードメッセージデータとからなる識別情報と、記録時刻とを、専用回線を介してページングセンター３に出力する。
【０１１１】
時計部４４は、現在時刻を計時し、計時した時刻情報を制御部４３に出力する。音声情報データベース４５は、音声情報を後述する管理テーブル（ＴＢ１、ＴＢ２、ＴＢ３…）に音声情報をデジタル化、且つ圧縮して格納している。そして音声情報サービスに際して制御部４３により実行される音声情報出力処理に応じて、出力依頼された音声情報を解凍して、アナログ処理し、回線接続された公衆電話１に対し出力する。
【０１１２】
また、音声情報格納処理の場合は、提供依頼を受けた音声情報を、先に入力されたアクセスＮｏ．に対応するサブアドレスデータで定義される管理テーブルに、コードデータ、及び記録時刻とともに、格納アドレスが割り振られて、デジタル圧縮されて格納される。情報管理テーブル４６は、音声情報データベース４５に格納される音声情報を管理する管理テーブルである。音声管理情報テーブル４６は、半導体メモリなどのメモリに記憶されている。情報管理テーブル４６のメモリ構成を図４に示す。図示するように、情報管理テーブル４６は、管理テーブルＴＢ１〜ＴＢ４毎の管理情報を格納するテーブルマネージャーＴＭと、音声情報データベース４５に格納された音声情報を管理する管理情報を格納する管理テーブルＴＢ１〜ＴＢ４の各メモリエリアから構成される。
【０１１３】
テーブルマネージャーＴＭ内の記憶内容を図５に示す。テーブルマネージャーＴＭには、アクセスＮｏ．欄、サブアドレスデータ欄及び管理テーブルＮｏ．欄がそれぞれ対応づけて形成されている。アクセスＮｏ．欄には、音声情報サービスの要求に際して、より詳細なサービス内容（例えば、アーティスト名を指定する場合等）をユーザが指定する場合に、ユーザーの操作によって公衆電話１から入力されるアクセスＮｏ．データ（この図５では、４桁の数値としている）が格納される。サブアドレスデータ欄には、その指定されたアクセスＮｏ．と対応付けられる８ｂｉｔのサブアドレスデータが格納される。図５の例では、＃Ｓ、＃Ｔ、＃Ｕ、＃Ｖ等がサブアドレスデータとして設定された場合を示している。サブアドレスデータは、音声情報サービスを受けるユーザがページャー６、６’に設定及び変更することが可能な情報である。例えば、ページャー６のユーザが所望のアーティスト名の音声情報サービスを要求する場合には、予め音声情報サービスで設定されているアーティストのメニューよりページャー６のユーザが後述するキー入力部を操作し、所望のアーティスト名を適宜選択設定することによりサブアドレスが設定される。管理テーブルＮｏ．欄には、アクセスＮｏ．欄に格納されたアクセスＮｏ．データ及びサブアドレスデータ欄に格納されたサブアドレスデータに対応する音声情報が、どの管理テーブルに格納されているかを示す管理テーブルＮｏ．が格納される。
【０１１４】
管理テーブルＴＢ１〜ＴＢ４のうち管理テーブルＴＢ１内の記憶内容を図６に示す。図６の管理テーブルＴＢ１では、コードデータ欄、音声情報データベースメモリアドレス欄及び記録時刻欄が形成されている。コードデータ欄には、音声情報の内容を識別する識別データであるコードデータ或いはフリーワードデータが格納される。図６の例では、コードデータの形態が“］］０１”なら“（チケットを）譲ります”、“］］０２”なら“譲って下さい”、及び、２桁の数字コードで１文字を指定してメッセージを形成するフリーワードメッセージデータ（例えば、ミミヨリジョウホウ等）が設定された場合を示している。これらのデータは、ページャー６のユーザーによる音声情報サービスにおける音声情報の提供、出力依頼の指定処理で利用されるとともに、ページャー６の表示部の表示制御処理にも利用される。音声情報データベースメモリアドレス欄には、コードデータ欄に格納されたコードデータに対応する音声情報の音声情報データベース４５内の格納エリアのメモリアドレスが格納される。図６の例では、メモリアドレスとして、“ＴＢ１ＡＤ１”、“ＴＢ１ＡＤ２”、“ＴＢ１ＡＤ３”が設定された場合を示している。記録時刻欄には、それぞれ格納されたコードデータ及び音声情報データベースメモリアドレスに対応して音声情報が格納された時刻が格納される。この例では、音声情報の提供依頼が終了した時刻が記録時刻として格納される。
【０１１５】
管理テーブルＴＢ２〜ＴＢ４も、管理テーブルＴＢ１と同様に構成されており、異なる音声情報サービスについて管理テーブルＴＢ１と同様のデータが格納される。
【０１１６】
ＲＡＭ（Random Access Memory）４７は、制御部４３のワークエリアとして使用され、音声情報サービスに関わるデータの一斉出力処理で、一括してページングセンター３に送られる呼出番号、サブアドレスデータ、及びコードデータ、若しくはフリーワードメッセージデータや、記録時刻等を一時的に格納する。
【０１１７】
次に、ページャー６の外観について説明する。図７（ａ）〜図７（ｄ）は、ページャー６の外観を示す図であり、それぞれページャ６の正面図、左側面図、底面図、背面図である。
【０１１８】
ページャー６の正面には、図７（ａ）に示すように、表示部６１ａが設けられている。表示部６１ａの表面には、ペン入力可能な透明なタッチパネル６１ｂが設けられている。ページャー６の正面には、カーソルの右移動ボタン６１ｃ、カーソルの左移動ボタン６１ｄ、インクリメントと次データを表示させるボタン６１ｅ、デクリメントと次データを表示させるボタン６１ｆと、トーン送出を開始するダイアラーキー６２、各処理モードをメニュー表示させる機能キー６３１、固定伝言やフリーメッセージ等の文字を呼び出すための文字キー６３２、決定及び実行を行う登録キー６３３及び、バックライトの点灯を指定する照明キー６３４が設けられている。
【０１１９】
ページャー６の左側面には、図７（ｂ）に示すように、メニューの呼出及び電源のＯＮ／ＯＦＦを行うメニュー／電源キー６３０と、着呼を報知する際に点滅するＬＥＤ７６とが設けられている。ページャー６の底面には、図７（ｃ）に示すように、着呼を報知する際に報音するスピーカー７４が設けられている。ページャー６の背面には、図７（ｄ）に示すように、プッシュホンのダイヤル信号であるＤＴＭＦ（Dual Tone Multi-Frequency ）信号に対応した音を出力するダイアラースピーカー７９が設けられている。
【０１２０】
ページャー６の内部の回路は、図８に示すように、表示部６１ａ、タッチパネル部６１ｂ、ダイアラーキー６２、キー入力部６３、アンテナ６４、受信部６５、デコーダ６６、制御部６７、バッファメモリ６８、デインタリーブ回路６９、ＩＤ−ＲＯＭ７０、ＲＯＭ７１、ＲＡＭ７２、ドライバ７３、スピーカー７４、バイブレータ７５、ＬＥＤ７６、送信バッファ７７、Ｄ／Ａ変換部７８及びダイアラースピーカー７９により構成されている。バスＢには、表示部６１ａ、タッチパネル部６１ｂ、ダイアラーキー６２、キー入力部６３、デコーダ６６、制御部６７、バッファメモリ６８、デインタリーブ回路６９、ＩＤ−ＲＯＭ７０、ＲＯＭ７１、ＲＡＭ７２、ドライバ７３及び送信バッファ７７が接続されている。
【０１２１】
表示部６１ａは、キー６３０〜６３４の操作に応答して制御部６７から表示データを受け取って文字や図形等の画像を表示すると共に、カーソルキー６１ｃ〜６１ｆの操作に応答してカーソルを移動させて表示する。タッチパネル部６１ｂは、所望の操作内容が表示された表示部６１ａの座標位置を専用のペン等でタッチ操作すると、そのタッチ操作に応答して操作信号をバスＢを介して制御部６７に出力する。
【０１２２】
ダイアラーキー６２は、その操作回数に応答して送信バッファ７７に格納された送信データをＤ／Ａ変換部７８を介してダイアラースピーカー７９から出力させることを指示する。キー入力部６３は、ダイアラーキー以外のキー郡（６１ｃ〜６１ｆ、６３０〜６３４）により構成され、その機能説明は省略する。
【０１２３】
アンテナ６４は、送信局（ＴＸ）５から無線で送信された搬送波を受信して受信部６５に出力する。受信部６５は、デコーダー６６の制御に従って、後述するようにＩＤ−ＲＯＭ７０に格納されたフレームＮｏ．に従ったタイムスロットで間欠駆動する。受信部６５は、アンテナ６４が受信した信号を検波、復調して、２値もしくは４値のデジタルデータに変換し、変換した２値または４値のデジタルデータをデコーダー６６にシリアルに出力する。
【０１２４】
デコーダ６６は、２値あるいは４値のデジタルデータを８ｂｉｔのパラレルデータに変換してバスＢに出力する。デコーダ６６は、制御部６７が入力したアドレスデータとＩＤ−ＲＯＭ７０に登録されたアドレスデータとが一致する際に出力される検出信号を受け取ると、一致したアドレスデータが含まれるフレームのベクトルフィールド及びメッセージフィールドの全データを受信部６５に受信させる。
【０１２５】
バッファメモリ６８は、１フレームの受信データをブロック単位で一時的に順次格納する。デインタリーブ回路６９は、伝送速度や変調方式を規定する情報に従ってブロック単位でインターリーブされている受信データをデインターリーブする。
【０１２６】
ＩＤ−ＲＯＭ７０は、ページャー６に設定された２１ｂｉｔのアドレスデータ、例えば、個別呼出用アドレスデータ＃Ａ、＃Ｂ、及び他のページャー６’、６’を共有する音声情報サービス受信用のアドレスデータ＃Ｃを、この音声情報サービスを受け付ける公衆電話番号（ＴｅｌＮｏ．）とともに記憶する。ＩＤ―ＲＯＭ７０は、また、間欠受信タイミングを示す自己フレームのフレームＮｏ．データ等の個別情報を格納する。
【０１２７】
ＲＯＭ（Read Only Memory）７１は、制御部６７が実行する表示制御プログラムやその他各種プログラム等を格納する不揮発性の記憶媒体である。ＲＯＭ７１は、図９に示すように、表示制御プログラムメモリＤＭ１、ＤＭ２と、フリーワードマトリクスメモリＦＭと、プログラムメモリＰＭの各メモリエリアから構成されている。プログラムメモリＰＭには、ページャー６の各回路を制御する制御プログラムが格納されている。
【０１２８】
表示制御プログラムメモリＤＭ１の記憶内容を図１０に示す。図１０の表示制御プログラムメモリＤＭ１には、アドレスデータ欄、表示制御内容欄及びＴＥＬＮｏ．欄が形成されている。アドレスデータ欄には、ＩＤ−ＲＯＭ７０で設定されたアドレスデータが格納されている。アドレスデータ欄に格納されているアドレスデータは、図５のテーブルマネージャーＴＭに格納されるサブアドレスデータと異なり固定である。表示制御内容欄には、アドレスデータに対応する表示制御内容が格納される。図１０の例では、アドレスデータ＃Ａに対応する表示制御内容として“セグメント「Ａ」を点灯”、アドレスデータ＃Ｂに対応する表示制御内容として“セグメント「Ｂ」を点灯”、アドレスデータ＃Ｃに対応する表示制御内容として“表示部６１ａに「アーティスト・チケット情報」と表示”がそれぞれ格納された場合を示している。ＴＥＬＮｏ．欄には、ダイアラースピーカー７９の出力内容が格納されている。図１０の例では、アドレスデータが＃Ａ及び＃Ｂに対してはダイアラースピーカー７９の出力内容は格納されていないが、アドレスデータ＃Ｃに対しては、コードデータ等の音声情報メッセージの提供元であるサービスセンター４の公衆電話番号（００００−０００−０００）が格納されている場合を示している。
【０１２９】
表示制御プログラムメモリＤＭ２の記憶内容を図１１に示す。図１１の表示制御プログラムメモリＤＭ２には、コートデータ欄及び表示制御内容欄が形成されている。コードデータ欄には、コードデータ“］］０１”、“］］０２”、及びフリーワードデータが格納される。表示制御内容欄には、このコードデータに対応する表示制御内容として、上述した“「譲ります。」＋記録時刻”、“「譲ってください。」＋記録時刻”、“「フリーワードメッセージ（内容）」＋記録時刻”が格納されている。ここで、フリーワードメッセージは、着信したメッセージデータがフリーワードメッセージデータであった場合を示す。
【０１３０】
フリーワードマトリクスメモリＦＭは、当該ページャー６が着信したメッセージフィールド（ＭＦ）１０３Ｇに設定されるメッセージデータにおいて、当該メッセージデータがフリーワードメッセージデータであることを定義する識別データ（ビットパターンで”１１０１１１０１：ダイアルデータで”−  −”（＊２＊２））を検出すると、後続するビットデータを８ビットずつ読み出してその組み合わせより表示すべきキャラクターを読み出すためのものであり、図１２に示されるような、４×４ビットのマトリクステーブルが格納されている。
【０１３１】
図８のＲＡＭ７２は、音声情報サービスのサービス内容や着信したメッセージデータ等を格納する書き替え可能な記憶媒体である。ＲＡＭ７２は、図１３に示すように、サブアドレス登録メモリＳＭと、メッセージメモリＭＭから構成されている。
【０１３２】
このサブアドレス登録メモリＳＭの記憶内容を図１４に示す。図１４のサブアドレス登録メモリＳＭには、サブアドレスデータ欄、表示されるサービス内容欄及び送信データ欄が形成されている。サブアドレスデータ欄には、図５のテーブルマネージャーＴＭに示した音声情報のサービス内容を指定するサブアドレスデータと同一のサブアドレスデータ＃Ｓ、＃Ｕが格納される。表示されるサービス内容欄には、サブアドレスデータ＃Ｓ、＃Ｕに対応して、受信すべき音声情報サービスのサービス内容が格納される。図１４の例では、サブアドレスデータ＃Ｓに対応するサービス内容としてアーティスト名“○山×夫”、サブアドレスデータ＃Ｕに対応するサービス内容としてアーティスト名“□川△子”が格納された場合を示している。また、送信データ欄には、音声情報サービスの各サービス内容毎に設定される４桁の送信データが格納される。図１４の例では、サブアドレスデータ欄及びサービス内容欄に対応する送信データとして“００００”と“０００２”が格納された場合を示している。この送信データは、サービスセンターにおけるアクセスＮｏ．となる。
【０１３３】
メッセージメモリＭＭの記憶内容を図１５に示す。図１５のメッセージメモリＭＭには、着信アドレスデータ欄、サブアドレスデータ欄と、着信データ欄とからなるデータ内容欄、記録時刻欄及び着信時刻欄が形成されている。着信アドレスデータ欄には、図１０の表示制御プログラムメモリＤＭ１内のアドレスデータ欄もしくはＩＤ−ＲＯＭ７０に格納されたアドレスデータのうちのメッセージデータを着信したアドレスデータが格納される。サブアドレスデータ欄には、図１４のサブアドレス登録メモリＳＭ内のサブアドレスデータ中の実際に着信したサブアドレスデータが格納される。但し、着信したデータが音声情報サービスを示すものでない場合は、この欄には何も格納されない。着信データ欄には、着信したメッセージデータ等のメッセージフィールド（ＭＦ）１０３Ｇ内でページャー６に送信されたデータ内容が格納される。記録時刻欄には、図６に示した情報管理テーブルＴＢ内の記録時刻欄に格納される記録時刻と同一の記録時刻が格納される。但し、着信したデータ内容が音声情報サービスでない場合はこの欄には何も格納されない。着信時刻欄には、当該メッセージデータの着信時刻が格納される。
【０１３４】
図８のドライバ７３は、バスＢを介して制御部６７から入力した報知指示に応答して、スピーカー７４、バイブレータ７５及びＬＥＤ７６を駆動制御する。送信バッファ７７は、ダイアラースピーカー７９からＤＴＭＦ音を出力する際にＤＴＭＦデータ（送信データ）を一時的に格納する。Ｄ／Ａ変換部７８は、送信バッファ７７に格納されたデジタルのＤＴＭＦデータをアナログのＤＴＭＦ信号に変換する。ダイアラースピーカー７９は、ＤＴＭＦ信号に対応するＤＴＭＦ音を出力する。
【０１３５】
図１に示す他のページャー６’、６’も、図７及び図８に示すページャー６と同様に構成されている。
【０１３６】
図１において送信局（ＴＸ）５は、ページングセンター３から受信したページング通信信号を無線通信によりページャー６、６’に送出する。図１においてパーソナルコンピュータ７は、各種情報処理機能と通信モデム機能を有し、処理データを通信モデム機能により公衆回線網２に送出するとともに、公衆回線網２を介して送受信される通信データを処理する。
【０１３７】
さらに、図１において携帯端末８は、各種情報処理機能を有し、無線通信機能により送信局（ＴＸ）５から無線送信されるページング信号を受信して処理する。携帯通信端末８は、赤外線通信機能を有し、通信データを赤外線モデム９を介して公衆回線網２に対して送受信する。
【０１３８】
図１において赤外線モデム９は、携帯通信端末８との間で赤外線通信機能により通信データを送受信する機能を有し、携帯通信端末８から送信されるデータを変調して公衆回線網２に送出するとともに、公衆回線網２から送信されるデータを復調して携帯通信端末８に送出する。
【０１３９】
図１においてＰＤＡ（Personal Digital Assistant）１０は、メモ機能や電話帳機能等の各種情報処理機能を有するとともに無線データ通信機能を有し、無線データ通信機能により通信データを受信局１１に送信して公衆回線網２に送出するとともに、送信局（ＴＸ）５から送信される通信データを受信してデータ処理する。
【０１４０】
次に、本第１の実施の形態の動作を説明する。
【０１４１】
本第１の実施の形態のページングシステムでは、ダイアラー機能を持つページャー６、６’の所有者に対して上記音声情報サービスを提供するために、サービスセンター４に音声情報サービスに関わる音声情報の蓄積機能（データベース）及び管理機能（処理手段）を設けている。そして、その音声情報サービスは、音声情報で提供されるアーティスト情報サービス（アーティスト別チケット情報であり、個人売買として“（チケットを）譲ります”、“譲ってください”情報等）であるものとする。
【０１４２】
ページャー６、６’の表示部６１ａには、音声情報サービスに対応するアプリケーションとして、ページャー６、６’のユーザー自身が個人売買等の情報を音声情報としてサービスセンター４に登録する“音声情報提供”と、ページャー６、６’のユーザーが、ページャー６、６’を操作することにより所望する音声情報に対応する記録時刻をサービスセンター４へ送信し、音声情報の出力を依頼する“音声情報サービス”を選択可能なメニューが表示されるものとする。
【０１４３】
音声情報サービスに関わるサービスセンター４の一連の処理として、まず、図３のサービスセンター４内の制御部４３により実行される制御処理を図１６に示すフローチャートを参照して説明する。
【０１４４】
サービスセンター４を構成する回路は常に動作するように制御されており、常に公衆回線網２からの回線接続を待機する状態にあるとともに、情報管理テーブル４６内のテーブルマネージャーＴＭ及び管理テーブルＴＢ１、ＴＢ２、ＴＢ３、…に格納されている管理情報（コードデータ、音声情報データベースメモリアドレス、記録時刻）に基づいて、音声情報データベース４５に格納された音声情報に対応する送信データを一定時間毎（例えば、１時間毎）に、ページングセンター３及び送信局５を介して送信対象のページャー６、６’に一斉に送信する。
【０１４５】
サービスセンター４の制御部４３は、上記待機状態において、入出力回路４１から回線接続を検出したかどうか、その有無を検出する（ステップＳ１）。ステップＳ１で回線接続を検出しなかった場合は、音声情報の情報サービスデータの一斉送信の送信時刻か否かを判別する（ステップＳ２）。例えば、送信すべき時刻が１時間毎に設定され、前回の送信時刻が１１時であった場合は、現在時刻が１２時か否かを計時部４４を参照して判別する。ステップＳ２で一斉送信時刻でないと判別した場合は、待機状態に戻る。ステップＳ２一斉送信時刻になったと判別した場合は、管理テーブル４６を検索する（ステップＳ３）。そして、この管理テーブル４６の検索により、前回の送信時刻（１１時）の後に新たに音声情報データベース４５に記録された音声情報が有るか否かを判別する（ステップＳ４）。すなわち、管理テーブル４６内の管理テーブルＴＢに格納されている記録時刻を参照することにより前回の送信時刻（１１時）の後に記録された音声情報の有無を、各テーブルＮｏ．毎に判別する。
【０１４６】
ステップＳ４で前回の送信時刻（１１時）の後に記録された音声情報が無いと判別した場合は、待機状態に戻る。ステップＳ４で前回の送信時刻（１１時）の後に記録された音声情報が有ると判別した場合は、複数本の音声情報が存在するか否かを、管理テーブルＴＢを参照してチェックする（ステップＳ５）。ステップＳ５で管理テーブルＴＢを参照した結果、複数本の音声情報が存在しない場合は、ステップＳ７に移行する。複数の音声情報が存在する場合は、管理テーブルＴＢに格納されている送信対象の複数のコードデータ若しくはフリーワードメッセージデータと記録時刻とを、テーブルＮｏ．に対応するサブアドレスデータ毎にＲＡＭ４７に一時格納する（ステップＳ６）。
【０１４７】
この時（１２時ちょうど）、情報管理テーブル４６の管理テーブルＴＢには、一斉送信の対象となる合計４本のコードデータ（フリーワードメッセージデータを含む）が音声情報データベースメモリアドレス及び記録時刻と共に記憶されているものとする。この４本のコードデータは、サブアドレスデータ＃Ｓについて３本、サブアドレスデータ＃Ｕについて１本ある。サブアドレスデータ＃Ｓに対応するコードデータは、“］］０１”、“］］０２”及びフリーワードメッセージデータ“ミミヨリジョウホウ（ダイアルデータで「−  −（＊２＊２）７２７２８５９２３２０４８５１３６５１３＃」”の３つであり、記録時刻はそれぞれ“１１：０５”、“１１：１０”、“１１：３０”である。サブアドレスデータ＃Ｕに対応するコードデータは、“］］０２”であり、その記録時刻は“１１：２５”である。
【０１４８】
そして、アドレスデータ＃Ｃ（音声情報サービス用）によるデータ送信を依頼するデータを専用回線を介してページングセンター３に送出する（ステップＳ７）。そして、管理テーブルＴＢからステップＳ５で確認した４本の音声情報サービス内容のそれぞれに対応するサブアドレスデータ、コードデータ／フリーワードメッセージデータ及び記録時刻を読み出す。制御部４３は、読み出したこれらのデータから図１７に示す構成の１本のメッセージデータを生成し、音声情報サービス用アドレスデータ＃Ｃとともにページングセンター３へ送出する（ステップＳ８）。そして、本フローチャートの処理を終了する。
【０１４９】
ページングセンター３は、サービスセンター４から図１７に示した構成のデータを受信すると、ページングセンター３において生成されたメッセージデータを図５９のメッセージフィールド（ＭＦ）１０３Ｇに格納してＲＣＲ  ＳＴＤ−４３に適用するデータが生成される。ページングセンター３は、この生成したデータを送信局（ＴＸ）５に送出する。これによって、図１７に示す構成のデータが送信局（ＴＸ）５から音声情報サービス用アドレスデータ＃Ｃを記憶するページャー６、６’に対して一斉に送信される。
【０１５０】
次に、ページャー６がページングセンター３により呼び出しを受け、上記の送信データ着信した時に、制御部６７が実行する着信処理について、図１８に示すフローチャートを参照して説明する。
【０１５１】
制御部６７は、電源スイッチ６３０の操作による電源投入後、各回路部の初期設定や制御データの設定を実行して受信待機状態に入る。アンテナ６４は、ページングセンター３から送信局（ＴＸ）５を介して無線で送信される変調波（アドレスデータ、メッセージデータ、）を受信して受信部６５に出力する。受信部６５は、デコーダー６６の制御に従って、ＩＤ−ＲＯＭ７０に格納されたフレームＮｏ．データに対応するタイムスロットで間欠駆動し、アンテナ６４が受信した信号を検波、復調して、デコーダー６６に出力する。デコーダー６６は、受信部６５より入力されたデータを８ｂｉｔのパラレルデータに並び換えてバスＢに出力する。制御部６７は、ＩＤ−ＲＯＭ７０に登録されたアドレスデータとデインターリーブ回路６９により、インターリーブ回復されたアドレスフィールド（ＡＦ）１０３Ｅ内のデータとを照合する。制御部６７はこの照合結果が一致する際には、デコーダ６６に一致信号を出力し、このフレーム内のデータを全て取り込むよう受信部６５の受信動作を継続させる。
【０１５２】
この場合、制御部６７は、図１８のフローチャートに示す処理を実行する。
【０１５３】
制御部６７は、ページングセンター３から送信局（ＴＸ）５を介して送信された１フレームのデータを全て取り込み（ステップＳ１１）、照合・一致したアドレスデータが＃Ａ、＃Ｂか、あるいは＃Ｃ（情報サービス用アドレスデータ）かを判別する（ステップＳ１２）。ステップＳ１１でアドレスデータが＃Ａ、＃Ｂであると判別した場合は、この着信データをインターリーブ回復、誤り訂正処理をしてメッセージメモリＭＭに格納し、ドライバ７３により駆動されるスピーカー７４の報知音、バイブレータ７５の振動、あるいはＬＥＤ７９の点滅により着信を報知するとともに、図１０の表示制御プログラムメモリＤＭ１内のアドレスデータ＃Ａあるいは＃Ｂに対応して表示制御内容欄に格納されている“セグメント「Ａ」を点灯”あるいは“セグメント「Ｂ」を点灯”に基づいて、セグメント「Ａ」あるいは「Ｂ」を表示部６１ｂに表示させて、格納された着信データに基づくメッセージを表示部６１ａに表示する（ステップＳ１５）。そして、本フローチャートの処理を終了する。
【０１５４】
ステップＳ１２でアドレスデータが＃Ｃ（音声情報サービス用アドレス）であると判別した場合は、取り込んでインターリーブ回復した着信データのメッセージフィールド（ＭＦ）１０３Ｇ内にある識別情報である、サブアドレスデータ、コードデータ若しくはフリーワードメッセージデータの内、サブアドレスデータを、図１４のサブアドレス登録メモリＳＭ内に格納されたサブアドレスデータ（＃Ｓ、＃Ｕ）と順次照合する（ステップＳ１３）。そして、一旦着信したデータのサブアドレスデータと格納されたサブアドレスデータとが一致するものがあるか否かを判別する（ステップＳ１４）。そしてステップＳ１４で両者のサブアドレスデータが一致しないデータについては、ステップＳ１１で一致しないサブアドレスに後続するデータを次のサブアドレス検出される部分まで破棄する（ステップＳ１６）。そして、このフローチャートの処理を終了する。
【０１５５】
ステップＳ１２でサブアドレスデータが一致したデータについては、このサブアドレスデータの後続のデータは、メッセージメモリＭＭにデータが転送される。そして、着信したこれらデータ（コードデータ、フリーワードメッセージデータ、記録時刻）に基づいて表示部６１ａに、表示内容を表示する。を例えば、図１４の場合では、制御部６７は、着信したメッセージデータの内、サブアドレス登録メモリＳＭに設定されているサブアドレスデータ＃Ｓあるいは＃Ｕに後続するデータのみをメッセージメモリＭＭに格納する。そして、これらのサブアドレスデータと対応づけてサービス内容欄に格納されている“ロジャー”あるいは“キャサリン”に基づいて、表示部６１ａに“○山×夫”あるいは“□川△子”と表示部６１ａに表示させる（ステップＳ１５）。そして、本フローチャートによる着信処理を終了する。
【０１５６】
すなわち、ページャー６、６’は、音声情報サービス用アドレスデータ＃Ｃで呼び出された場合、メッセージフィールドのデータを全て取り込んだ後、自機に設定されているサブアドレスデータが一致する後続データのみをメッセージメモリＭＭに取り込み、それ以外のデータは破棄する。
【０１５７】
以上のように、ページャー６、６’は、ページングセンター３から送信局（ＴＸ）５を介して送信されたデータについて着信処理をする。この着信処理によって、ページャー６、６’は、サービスセンター４より送信されたデータ中のメッセージフィールド（ＭＦ）１０３Ｇのデータを取り込む。取り込まれたデータは、識別データ毎にＲＡＭ７２内に形成されたメッセージメモリＭＭに格納される。メッセージメモリＭＭに格納されたデータの格納内容を図１９に示す。
【０１５８】
図１９は、図１５と同じメッセージメモリＭＭの着信データの格納状態を示すものであるが、図１８に示される着信処理のフローチャートにしたがって、着信アドレスデータ欄にアドレスデータ＃Ｃで着信した４本のデータが、新たに格納されている。この図の場合、ページングセンター３から音声情報サービスに従って一斉送信されたこのデータには少なくともサブアドレスデータ＃Ｓと＃Ｕが設定されている為、サブアドレスデータ欄は、サブアドレスデータ＃Ｓと＃Ｕを格納している。そして、サブアドレスデータ＃Ｓに対応するデータ内容欄は、音声情報サービスのサービス内容を指定する識別データとしてコードデータ“］］０１”、“］］０２”、及び“ミミヨリジョウホウ”（フリーワードメッセージデータ）と、その各音声情報がサービスセンター４に記録された時刻である記録時刻“１１：０５、１１：１０、１１：３０”とを格納している。またサブアドレスデータ＃Ｕに対応してコードデータ“］］０２”と記録時刻“１１：２５”を格納している。更に着信時刻欄は、ページャー６がこれらのデータを受信した時刻“１２：００”を格納している。
【０１５９】
次に、ページャー６からサービスセンター４に対して、ユーザー公衆回線網２を介してサービスセンター４に対し音声情報サービスに関わる音声情報を提供したり、サービスセンターに音声情報の出力依頼を行う場合に、ユーザーからの操作に基づいて、ページャー６の制御部６７が実行する処理について、図２０に示すフローチャートを参照して説明する。
【０１６０】
ユーザーによりキー入力部６３のメニュー／電源キー６３０が操作されて音声情報サービスモードが選択されると、制御部６７は、図２０に示すフローチャートの処理を開始する。処理開始当初は、制御部６７は、図２１に示す音声情報サービスメニューを表示部６１ａに表示させる（ステップＳ２１）。この図２１に示す音声情報サービスメニューでは、ユーザーが行う音声情報の提供、及び所望のアーティストに関する音声情報の出力依頼（本実施例ではチケットの売買情報）に対応して、選択項目“１．音声情報提供”と“２．音声情報サービス（音声情報出力依頼）”が設けられている。そしてユーザーが、この選択項目を表示部６１ａ上に設けられたタッチパネル６１ｂの選択項目該当位置をペン等でタッチ操作することにより、制御部６７が選択を検出する。
【０１６１】
次に、制御部６７は、表示部６１ａに表示された音声情報サービスメニューにおいて、検出された選択項目が音声情報の提供か、あるいは出力依頼かを判別する（ステップＳ２２）。例えば、図２１に図示される表示部６１ａの表示例は、ステップＳ２２に対応しており、検出された選択項目「音声情報サービス（出力依頼）」が参照符号ａで示されるがごとく、反転表示されている。次に、その検出された選択項目について、図１４のＲＡＭ７２のサブアドレス登録メモリＳＭに格納されているサブアドレスデータ欄を参照する（ステップＳ２３）。参照した結果、サブアドレスデータを登録していないと判別した場合は、所望のサービス内容（アーティスト名）の音声情報サービスの受信を登録していないと判断し、本処理を終了する。サブアドレスデータを登録していると判別した場合は、そのサブアドレスデータに対応してサブアドレス登録メモリＳＭ内のサービス内容欄に格納されている複数のサービス内容を表示する（ステップＳ２４）。具体的には、図２２に示すように、図１０の表示制御プログラムメモリＤＭ２内のアドレスデータ＃Ｃに対応して表示制御内容欄に格納されている“アーティスト・チケット情報”と、アーティスト・チケット情報の選択項目として図１４のサブアドレス登録メモリＳＭ内のサービス内容欄に格納されているアーティスト名“○山×夫”と“□川△子”とを、それぞれ表示部６１ａに表示する。
【０１６２】
次いで、表示部６１ａに表示されたサービス内容の内ユーザーの操作により特定のサービス内容が選択されたか否かを検出する（ステップＳ２５）。ステップＳ２５で特定のサービス内容が選択されたことが検出されると、（図２２の例では参照符号ｂで示す“１．○山×夫”が選択されて反転表示された状態である）、制御部６７は、その特定のサービス内容に対応するサブアドレスデータ（“１．○山×夫”が選択された場合はサブアドレスデータ＃Ｓ）を図１４のサブアドレス登録メモリＳＭから読み出す。制御部６７は、読み出したサブアドレスデータに対応するデータ内容を、図１９のメッセージメモリＭＭから読み出す（ステップＳ２６）。すなわち、データ内容欄のコードデータ“］］０１”、“］］０２”、及びフリーワードメッセージデータ“ミミヨリジョウホウ”を読み出す。そして、図１１の表示制御プログラムメモリＤＭ２に格納された表示制御内容に従って、これらのデータ内容の一部を、図２３に示すように、一覧形式で表示部６１ａに表示する（ステップＳ２７）。
【０１６３】
具体的には、サブアドレスデータ＃Ｓに対応してデータ内容欄に設定されているコードデータ“］］０１”、“］］０２”及び“フリーワードデータ”に対応して、図１１の表示制御プログラムメモリＤＭ２に格納されたコードデータ“］］０１”、“］］０２”及び“フリーワードメッセージデータ”に対応する表示制御内容“「譲ります。」＋記録時刻”、“「譲ってください。」＋記録時刻”と“「ミミヨリジョウホウ」＋記録時刻”に基づいて、データの内容の先頭部及び記録時刻を表示部６１ａに表示する。
【０１６４】
次いで、制御部６７は、表示部６１ａに表示されたデータの選択の有無を検出する（ステップＳ２８）。図２３の例では、参照符号ｃで示す“譲って下さい。１１：１０”の選択が検出されて反転表示された場合を示している。この場合ユーザーは、このデータの選択メニューにおいて、“譲ります。  １１：０５”または“譲って下さい。”あるいは“１１：１０”のいずれかに対応するタッチパネル６１ｂ上の位置をタッチ操作すればよい。
【０１６５】
以上のような選択操作を検出すると、制御部６７は、ＲＯＭ７１の表示制御プログラムメモリＤＭ１よりアドレスデータ＃Ｃ対応して格納されるサービスセンター４のＴｅｌＮｏ．（００００−０００−０００）と、ＲＡＭ７２のサブアドレス登録メモリＳＭより選択されたサービス内容（アーティスト名）に基づいてサブアドレスデータ（＃Ｓ）に対応するアクセスＮｏ．（００００）と、上記選択された表示内容すなわち「譲って下さい。  １１：１０」に対応するデータとして記録時刻（１１０５）とを、それぞれ、１回目、２回目、３回目の送信データとして送信バッファ７７にセットする。
【０１６６】
そして、制御部６７は、この選択されたデータ“譲って下さい。  １１：１０”に対応する全データ（“アーティスト・チケット情報”、“○山×夫”、“譲って下さい”、“１１：１０”）を表示部６１ａに表示させる（ステップＳ２９）。そして、１回目のダイアラーキー６２の押圧が検出されたかどうかを判別する（ステップＳ３０）。ステップＳ３０で１回目のダイアラーキー６２が押圧されたことを検出されたと判別すると、制御部６７は、送信バッファ７７に格納されているサービスセンター４のＴｅｌＮｏ．（００００−０００−０００）を出力させる。出力されたＴｅｌＮｏ．は、ＤＴＭＦ音としてＤ／Ａ変換器７８を介してダイアラースピーカー７９から出力される。このＴｅｌＮｏ．に対応するＤＴＭＦ音は、公衆電話１から出力されることによりサービスセンター４と回線接続される（ステップＳ３１）。
【０１６７】
このページャー６からの発呼（電話番号に対応するＤＴＭＦ音の出力）によって公衆電話１とサービスセンター４との間が公衆回線網２を介して回線接続されると、サービスセンター４は、アナウンス▲１▼「こちらはアーティストチケット音声情報サービスセンターです。希望されるアーティスト名のアクセスＮｏ．を入力して下さい。」を、公衆回線網２を介して回線接続されている公衆電話１へ出力する。
【０１６８】
次いで、制御部６７は、図２４に示す表示メニュー上の参照符号ｄで示すステップＳ２５で選択されたサービス内容“○山×夫”を反転表示させる（ステップＳ３２）。そして、制御部６７は、このサービスセンター４からのアナウンス▲１▼を聞いたユーザーによる２回目のダイアラーキー６２の押圧が検出されたかどうかを判別する（ステップＳ３３）。ステップＳ３３で２回目のダイアラーキー６２の押圧が検出されたと判別すると、制御部６７は、送信バッファ７７に格納されているアクセスＮｏ．“００００”を出力させる。出力されたアクセスＮｏ．は、ＤＴＭＦ音としてＤ／Ａ変換器７８を介してダイアラースピーカー７９から出力される。このアクセスＮｏ．に対応するＤＴＭＦ音は、公衆電話１から公衆回線網２を介してサービスセンター４に送出される（ステップＳ３４）。
【０１６９】
サービスセンター４は、アナウンス▲１▼の出力後、所定時間ページャー６からのアクセスＮｏ．の入力の有無を待ち、ページャー６からアクセスＮｏ．“００００”が入力されたことを検出すると、情報管理テーブル４６内のテーブルメモリＴＭを検索してアクセスＮｏ．“００００”が有るか否かを判別する。この時、該当するアクセスＮｏ．が無い場合は、サービスセンター４は、「該当する音声情報はありません。」と出力して、処理を終了する。該当するアクセスＮｏ．が有った場合は、サービスセンター４は、アナウンス▲２▼「メッセージもしくは記録時刻を入力して下さい。」を出力する。
【０１７０】
次いで、制御部６７は、図２４に示す表示メニュー上の参照符号ｅで示す記録時刻“１１：１０”を反転表示させる（ステップＳ３５）。そして、サービスセンター４からのアナウンス▲２▼を聞いたユーザーによる３回目のダイアラーキー６２の押圧が検出されたかどうかを判別する（ステップＳ３６）。ステップ３６で３回目のダイアラーキー６２の押圧が検出されたと判別すると、制御部６７は、送信バッファ７７に格納されている記録時刻に対応する識別データ“１１１０”を出力させる。出力された識別データ“１１１０”は、ＤＴＭＦ音としてＤ／Ａ変換器７８を介してダイアラースピーカー７９から出力される。この識別データに対応するＤＴＭＦ音は、公衆電話１から公衆回線網２を介してサービスセンター４に送出される（ステップＳ３７）。そして、このフローチャートの処理を終了する。
【０１７１】
サービスセンター４は、このページャー６から記録時刻に対応する識別データを受信すると、情報管理テーブル４６内の管理テーブルＴＢ１を検索して記録時刻“１１：１０”が有るか否かを判別する。この時、該当する記録時刻が無い場合は、「該当する音声情報はありません。」と出力して、処理を終了する。該当する記録時刻が有った場合は、管理テーブルＴＢ１に記録時刻に対応して音声情報データベースメモリアドレス欄に格納されているメモリアドレスＴＢ１ＡＤ２に基づいて、音声情報データベース４５に記憶されている音声情報を読み出して出力する。
【０１７２】
このサービスセンター４からの音声情報の出力を公衆電話１で受け取ることにより、ページャー６の所有者は、“ロジャー”に関する音声情報を聞くことができる。
【０１７３】
したがって、ページャー６のユーザが、サービスセンター４に対して音声情報の出力依頼を要求する場合は、
▲１▼  メニュー／電源キー６３０を操作して音声情報サービスメニューを表示部６１ａに表示する。
▲２▼  タッチパネル６１ｂを操作して音声情報の出力依頼（音声情報サービス）を選択する。
▲３▼  ダイアラーキー６２を３回操作する。
だけでサービスセンター４への回線接続、アクセスＮｏ．の送信及びコードデータの送信が自動的に行われる。このため、この実施の形態のシステムによれば、ページャー６のユーザが音声情報サービスにおける音声情報の出力要求の時や、音声情報を提供する時の操作が簡単になる。
【０１７４】
上記第１の実施の形態では、ページャー６からサービスセンター４に対して音声情報サービスの音声情報出力依頼を出力する場合を説明した。しかしながら、サブアドレスデータ＃Ｃを記憶している他のページャー６’からも、ユーザーが、上記と同様の処理操作を行うことにより、音声情報サービスを受けることができる。
【０１７５】
以上のように、本実施の形態のページングシステムでは、音声情報データベースに音声情報を蓄積し、音声情報サービス機能を備えたサービスセンター４を新たに設けた。そして、音声情報サービス機能を利用して、アーティスト別チケットの“譲ります。”又は“譲ってください。”等の規定のフォーマットで送信された識別情報に対応てし、音声情報を出力可能とした。
【０１７６】
また、本実施の形態では、識別データとして２種類のコードデータ（  “］］０１”，“］］０２”）を使用したサービスについて説明したが、コードデータを使用したサービスに限定するものではない。音声情報の内容を特定するようなメッセージデータをサービスセンター４とページャー６でそれぞれ記憶管理している場合は、３回目の送信データとして選択した着信メッセージデータを上記記録時刻の代わりに送信バッファ７７にセットすることができる。すなわち、サービスセンター４に出力依頼する音声情報を特定できれば、識別データの形態は限定されることはなく、例えばキーワード等でも適用可能である。サービスセンター４の音声情報データベース４５に格納される音声情報を指定する音声情報データベースメモリアドレスを識別データとして使用してもよい。
【０１７７】
更に、上記第１の実施の形態のページャー６内のＲＯＭ７１には、内部に表示制御プログラムメモリＤＭ２を形成し、この表示制御プログラムメモリＤＭ２内にコードデータ欄及び表示制御内容欄を形成して、コードデータと表示制御内容を関連付けて格納するようにしたが、この表示制御プログラムメモリＤＭ２をＲＡＭ７２に形成しユーザが所望するコードデータに対応して受信制御情報を格納して、所望のコードデータ受信するようにしてもよい。
【０１７８】
図２５は、この場合に使用される表示制御プログラムメモリＤＭ２の記憶内容の例を示す。図２５の表示制御プログラムメモリＤＭ２では、コードデータ欄に“］］０１”、“］］０２”、“フリーワードデータ”を格納し、これに対応するように受信制御フラグ欄に“１”、“０”を格納している。この場合、受信制御フラグが“１”に設定されているコードデータ“］］０１”（譲ります。）のみを着信できる。言い換えれば、コードデータ“］］０１”が着信した場合に、“譲ります。”が表示され、同じサブアドレスデータでも、“］］０１”以外のコードデータは、破棄される。
【０１７９】
また、コードデータの種類に対応して報知制御フラグを設定して、着信したサブアドレスデータに設定されているコードデータの種類に対応して報知制御をしてもよい。このようにすると、例えば、コードデータ“］］０１”（譲ります。）と、“］］０２”（譲って下さい。）では、着信報知音（メロディ）を異ならせる等の報知制御が可能になる。
【０１８０】
なお、音声情報データベース４５において、音声情報が新規に登録された際、出力にかかるであろう時間（出力所要時間）を測定しておき、コードデータ送信時にこの出力所要時間をも送信するようにすると、ぺ−ジャー６，６’のユーザーは、音声情報出力依頼の時、着信した出力所要時間から、所望の音声情報は時間的にどの位長いのかを理解できる。
【０１８１】
（第２の実施の形態）
以下、図２６〜図５８を参照して、本発明の第２の実施の形態の通信システムについて、説明する。
【０１８２】
本第２の実施の形態では、ユーザーが、自分が雇用されているオフィスのデータベースに該ユーザー宛てにどのようなデータが蓄積されたかをページングシステムを利用して確認することができ、該ユーザーが内容を確認してから、携帯端末等にデータベースに蓄積されたデータをダウンロードすることができる通信システムについて説明する。
【０１８３】
図２６は、本第２の実施の形態の通信システムの構成を示す図である。
【０１８４】
この通信システムにおいて、公衆電話１、ページングセンター３、オフィス（データ処理システム）１４、及びセルラー電話サービスセンター１５がＩＳＤＮ（Integrated Services Digital Network ）１２を介して接続されている。第１の実施の形態の場合と同様に、ＩＳＤＮ１２を介して単に「接続」と呼ぶ場合は、物理的な接続を意味する。以下、例えば、公衆電話１とページングセンター４とがＩＳＤＮ１２を介して論理的に接続された場合は、「回線接続」と呼ぶ。
【０１８５】
参照符号８Ａ〜８Ｆは、オフィス１４の社員が所有するページャー機能を有する携帯端末であり、同一のグループアドレスデータを有する。携帯通信端末８Ａ〜８Ｆは、それぞれ１つ以上のサブアドレスデータを有する。携帯通信端末８Ａ〜８Ｆは、後述するようにこのサブアドレスデータによってオフィス１４から送信されたメッセージデータが自己宛のメッセージデータであるかどうかを判別し、自己宛てのメッセージである場合はこのメッセージデータに基づくメッセージを表示部に表示する。参照符号１００の楕円内の携帯通信端末８Ｃ〜８Ｅは、オフィス１４の営業１課の社員が有するものであり、同一のサブアドレスデータを記憶している（携帯通信端末８Ａ〜８Ｆの構成については、後述する。）。参照符号１０はノート型パーソナルコンピュータ（以下、ＰＣという）であり、図示しないＰＣカードスロットには、ページング機能を有するＰＣカードがセットされている。また参照符号１１はセルラーフォンである。ＰＣ１０及びセルラーフォン１１は、共にオフィス１４の社員が有するものである。参照符号９は、携帯通信端末８Ｅがサーバー１４２とデータ通信を行うためのモデムである。
【０１８６】
ページングセンター３は、ページングネットワーク１３を介して送信局（ＴＸ）５と接続されている。この実施の形態におけるページングセンター３の構成は、図２７に示すように、第１の実施の形態のものと実質的に同一である。但し、この実施の形態の通信システムでは、ページングセンター３は、後述するようにオフィス１４から呼出、及びメッセージデータの送信依頼を受けた場合はアルファニューメリックなメッセージデータを送信できるＩＰアドレスデータに対応する呼出番号でアクセスされるため、制御部３０６は入出力回路３０１がＩＰアドレスを受信したかどうかを、加入者メモリ３０４を参照しながら判別し、ＩＰアドレスデータに対応する呼出番号でアクセスされたと判別したときは、音声出力回路３０４にアナウンスを出力させることなく、後続の処理を行う。入出力回路３０１はＩＳＤＮ１２に接続され、制御部３０６はオフィス１４内のモデム１４１に接続されている。
【０１８７】
セルラー電話サービスセンター１５は、セルラーネットワーク１６を介して送受信局（ＴＲＸ）１７と接続されている。従ってＰＣ１０は、セルラーフォン１１と接続することで、サーバー１４２と回線接続され、サーバー１４２とデータ通信を行うことができる。
【０１８８】
オフィス１４には、その内部において当該オフィスに蓄積されるデータを集中して処理する、モデム１４１、サーバー１４２及びデータベース１４３からなるデータ処理システムが構築されている。サーバー１４２は、メインフレームは既存のオフィスコンピュータなどで構成され、データベース１４３の管理機能及びモデム１４２を介しての通信機能を備える。
【０１８９】
データベース１４３は、図２８に示すように、情報記憶部１４５と、情報管理テーブル１４６と、バッファ領域１４７とによって構成される。情報記憶部１４５は、情報管理テーブル１４６によって後述するようにアドレス指定された各ファイルが格納される領域であり、データファイルの属性毎に領域が分けられている。バッファ領域１４７は、データの一時記憶領域として使用される。
【０１９０】
情報管理テーブル１４６の記憶内容を図２９に示す。図示するように、情報管理テーブル１４６は、管理テーブルＴＢＲ１〜ＴＢＲ４毎の管理情報を格納するテーブルマネージャーＴＭＲと、情報記憶部１４５に記憶された情報を管理する管理情報を格納する管理テーブルＴＢＲ１〜ＴＢＲ４の各エリアから構成される。管理テーブルＴＢＲ１〜ＴＢＲ４は、格納されるデータファイルの属性に従って分けられている。
【０１９１】
テーブルマネージャＴＭＲの記憶内容を図３０に示す。テーブルマネージャＴＭＲには、コードデータ欄、管理テーブルＮｏ．欄及びデータ属性欄が形成されている。コードデータ欄には、データファイルの属性を識別する識別データであるコードデータが格納される。図３０の例では、コードデータの形態が“］］０１”なら“音声”、コードデータの形態が“］］０２”なら“文書”、コードデータの形態が“］］０３”なら“表データ”、コードデータの形態が“］］０４”なら“静止画像”…である場合を示している。管理テーブルＮｏ．欄には、コードデータ欄に格納されたコードデータに対応する情報がどの管理テーブルに格納されているかを示す管理テーブルＮｏ．が格納される。データ属性欄には、コードデータ欄に格納されたコードデータ及び管理テーブルＮｏ．欄に格納された管理テーブルＮｏ．に対応する情報のデータ属性（音声、文書、表データ、静止画像等の種別）が格納される。
【０１９２】
管理テーブルＴＢＲ１の記憶内容を図３１に示す。図３１の管理テーブルＴＢＲ１は、データファイルの属性が音声用の管理テーブルであり、アクセスＮｏ．欄、メッセージデータ欄、添付ファイル格納アドレス欄、ファイル名欄、サイズ欄及び記録時刻欄が形成されている。アクセスＮｏ．欄には、アクセスＮｏ．（２）が格納される。アクセスＮｏ．（２）は、後述するように、サブアドレスデータに対応して割り付けられたものである。管理テーブルＴＢＲ１は、アクセスＮｏ．（２）に従って領域が分けられている。メッセージデータ欄には、携帯通信端末８Ａ〜８Ｆに送信するメッセージの内容が格納されている。添付ファイル格納アドレス欄には、メッセージデータ欄に格納されたメッセージデータに対応するファイルが記憶されている情報記憶部１４５内のアドレスが格納される。ファイル名欄には、当該ファイルのファイル名が格納される。サイズ欄には、当該ファイルのサイズの情報がＫＢ単位で格納される。記録時刻欄には、当該ファイルが記録された時刻が格納される。図３１の例では、「サンプリングデータ送ります。」というメッセージデータに対応するファイルが、ファイル名“ＳＡＭ．ＷＡＶ”として７０ＫＢのサイズで１１：０５にアドレスＴＢ１ＡＤ１に格納され、そのファイル名は上記メッセージデータ、アクセスＮｏ．（２）“０００１”、サイズ、及び記録時刻と対応づけられて格納されている状態を示している。
【０１９３】
管理テーブルＴＢＲ２の記憶内容を図３２に示す。図３２の管理テーブルＴＢＲ２は、データファイルの属性が文書用の管理テーブルであり、アクセスＮｏ．欄、メッセージデータ欄、添付ファイル格納アドレス欄、ファイル名欄、サイズ欄及び記録時刻欄が形成されている。アクセスＮｏ．欄には、アクセスＮｏ．（２）が格納される。管理テーブルＴＢＲ２は、アクセスＮｏ．（２）に従って領域が分けられている。メッセージデータ欄には、携帯通信端末８Ａ〜８Ｆに送信するメッセージの内容が格納されている。添付ファイル格納アドレス欄には、メッセージデータ欄に格納されたメッセージデータに対応するファイルが記憶されている情報記憶部１４５内のアドレスが格納される。ファイル名欄には、当該ファイルのファイル名が格納される。サイズ欄には、当該ファイルのサイズの情報がＫＢ単位で格納される。記録時刻欄には、当該ファイルが記録された時刻が格納される。図３１の例では、「７／１のメールの内容です。」というメッセージデータに対応するファイルが、ファイル名“Ｍａｉｌ．ＴＸＴ”として７０ＫＢのサイズで１１：１０にアドレスＴＢ２ＡＤ１に格納され、そのファイル名は上記メッセージデータ、アクセスＮｏ．（２）“０００１”、サイズ、及び記録時刻と対応づけられて格納されている状態を示している。
【０１９４】
管理テーブルＴＢＲ３の記憶内容を図３３に示す。図３３の管理テーブルＴＢＲ３は、データファイルの属性が表データ（表計算）用の管理テーブルであり、アクセスＮｏ．欄、メッセージデータ欄、添付ファイル格納アドレス欄、ファイル名欄、サイズ欄及び記録時刻欄が形成されている。アクセスＮｏ．欄には、アクセスＮｏ．（２）が格納される。管理テーブルＴＢＲ３は、アクセスＮｏ．（２）に従って領域が分けられている。メッセージデータ欄には、携帯通信端末８Ａ〜８Ｆに送信するメッセージの内容が格納されている。添付ファイル格納アドレス欄には、メッセージデータ欄に格納されたメッセージデータに対応するファイルが記憶されている情報記憶部１４５内のアドレスが格納される。ファイル名欄には、当該ファイルのファイル名が格納される。サイズ欄には、当該ファイルのサイズの情報がＫＢ単位で格納される。記録時刻欄には、当該ファイルが記録された時刻が格納される。図３３の例では、「顧客管理表です。」というメッセージデータに対応するファイルが、ファイル名“ＣＵＳＴ．ＴＢＬ”として１０ＫＢのサイズで１１：３０にアドレスＴＢ３ＡＤ２に格納され、そのファイル名は上記メッセージデータ、アクセスＮｏ．（２）“０００１”、サイズ、及び記録時刻と対応づけられて格納され、また、「営業評価です。」というメッセージデータに対応するファイルが、ファイル名“ＮＯＲ．ＸＬＳ”として２０ＫＢのサイズで１１：２５にアドレスＴＢ３ＡＤ１に格納され、そのファイル名は、上記メッセージデータ、アクセスＮｏ．（２）“０００２”、サイズ、及び記録時刻と対応づけられて格納されている状態を示している。
【０１９５】
携帯通信端末８Ａ〜８Ｆの内部の回路は、図３４に示すように、アンテナ８１、受信部８２、デコーダ８３、制御部８４、バッファメモリ８５、デインタリーブ回路８６、表示部８７ａ、タッチパネル部８７ｂ、キー入力部８８、８９、ＩＤ−ＲＯＭ９０、ＲＯＭ９１、ＲＡＭ９２、ドライバ９３、スピーカー９４、バイブレータ９５、ＬＥＤ９６、送信バッファ９７及びインタフェース（Ｉ／Ｆ）９７により構成されている。バスＢ’には、デコーダ８３、制御部８４、バッファメモリ８５、デインタリーブ回路８６、表示部８７ａ、タッチパネル部８７ｂ、キー入力部８８、８９、ＩＤ−ＲＯＭ９０、ＲＯＭ９１、ＲＡＭ９２、ドライバ９３及び送信バッファ７７が接続されている。
【０１９６】
キー入力部８８は、電源キーによって構成される。キー入力部８９は、後述するメッセージモードなどの携帯通信端末８のモードを設定するためのモード設定キー群から構成される。
【０１９７】
表示部８７ａは、タッチパネル部８７ｂ及びキー入力部８８、８９の操作に応答して制御部８４から表示データを受け取って文字や図形等の画像を表示する。タッチパネル部８７ｂは、所望の操作内容が表示された表示部８７ａの座標位置を専用のペン等でタッチ操作すると、そのタッチ操作に応答して操作信号をバスＢを介して制御部８４に出力する。
【０１９８】
ＲＯＭ９１は、制御部８４が実行する表示制御プログラムやその他各種プログラム等を格納する不揮発性の記憶媒体である。ＲＯＭ９１は、図３５に示すように、表示制御プログラムメモリＤＭ１１、ＤＭ１２と、キャラクタジェネレータＣＧと、プログラムメモリＰＭの各メモリエリアから構成されている。プログラムメモリＰＭには、後述するフローチャートに示す処理プログラムの他、携帯通信端末８のアプリケーションプログラムが格納されている。
【０１９９】
表示制御プログラムメモリＤＭ１１の記憶内容を図３６に示す。図３６の表示制御プログラムメモリＤＭ１１には、アドレスデータ欄、表示制御内容欄及びアクセスＮｏ．データ欄が形成されている。アドレスデータ欄には、ＩＤ−ＲＯＭ９０で設定されたアドレスデータが格納されている。表示制御内容欄には、着信したアドレスデータに対応する表示制御内容が格納される。図３６の例では、アドレスデータ＃Ａに対応する表示制御内容として“セグメント「Ａ」を点灯”、アドレスデータ＃Ｂに対応する表示制御内容として“セグメント「Ｂ」を点灯”、アドレスデータ＃Ｃに対応する表示制御内容として“表示部８７ａに「社内」と表示”がそれぞれ格納された場合を示している。アクセスＮｏ．データ欄には、オフィス１４のデータベース１４５にアクセスするためのアクセスＮｏ．（１）が格納されている。図３６の例では、アドレスデータが＃Ａ及び＃Ｂに対してはアクセスＮｏ．データ（１）は格納されていないが、アドレスデータ＃Ｃに対しては、データベース１４５へアクセスするためのアクセスＮｏ．（００００−０００−０００）が格納されている場合を示している。
【０２００】
表示制御プログラムメモリＤＭ１２の記憶内容を図３７に示す。図３７の表示制御プログラムメモリＤＭ１２には、コートデータ欄及び表示制御内容欄が形成されている。コードデータ欄には、コードデータ“］］０１”〜“］］０６”…が格納される。表示制御内容欄には、コードデータ“］］０１”〜“］］０６”…に対応する表示制御内容として、それぞれ“音声データファイルを示すアイコン＋ファイル名＋サイズ（ＫＢ）＋記録時刻”、“文書データファイルを示すアイコン＋ファイル名＋サイズ（ＫＢ）＋記録時刻”、“表データデータファイルを示すアイコン＋ファイル名＋サイズ（ＫＢ）＋記録時刻”、“静止画像データファイルを示すアイコン＋ファイル名＋サイズ（ＫＢ）＋記録時刻”、“動画像データファイルを示すアイコン＋ファイル名＋サイズ（ＫＢ）＋記録時刻”、“書庫データファイルを示すアイコン＋ファイル名＋サイズ（ＫＢ）＋解凍後のサイズ（ＫＢ）＋記録時刻”、が格納される。
【０２０１】
図３４のＲＡＭ９２は、制御部８４のワークエリアとして使用される他、サービス内容や着信したメッセージ等を格納する書き替え可能な記憶媒体である。ＲＡＭ９２は、図３８に示すように、サブアドレス登録メモリＳＭＲと、メッセージメモリＭＭＲと、データメモリＤＤＲと、ワークエリアＷＲから構成されている。
【０２０２】
サブアドレス登録メモリＳＭＲの記憶内容を図３９に示す。図３９のサブアドレス登録メモリＳＭＲには、サブアドレスデータ欄、表示内容欄及びアクセスＮｏ．データ欄が形成されている。サブアドレスデータ欄には、携帯通信端末８Ａ〜８Ｆのそれぞれに設定されたサブアドレスデータ＃Ｓ、＃Ｔ、＃Ｕが格納される。ここに格納されているサブアドレスデータは、当該携帯端末に設定されたものすべてである。表示内容欄には、後述する着信メッセージの表示画像での表示内容（メッセージの宛先）が格納される。アクセスＮｏ．データ欄には、サブアドレスデータ毎に設定され、携帯通信端末８Ａ〜８Ｆからサーバー１４２にアクセスし、サーバー１４２にデータベース１４３内のファイルを管理する管理テーブルＴＢを操作させるときに用いる４桁のアクセスＮｏ．が格納される。
【０２０３】
メッセージメモリＭＭＲの記憶内容を図４０に示す。図４０のメッセージメモリＭＭＲには、着信アドレスデータ欄、サブアドレスデータ欄、ダウンロード済み確認フラグ欄、コードデータ欄、ファイル名欄、サイズ欄、記録時刻欄、着信時刻欄及びメッセージデータ欄が形成されている。着信アドレスデータ欄には、図３６の表示制御プログラムメモリＤＭ１１内のアドレスデータ欄もしくはＩＤ−ＲＯＭ９０に格納されたアドレスデータのうちのメッセージデータを着信したアドレスデータが格納される。サブアドレスデータ欄には、図３９のサブアドレス登録メモリＳＭＲ内のサブアドレスデータ中の実際に着信したサブアドレスデータが格納される。但し、着信したデータがオフィス１４からのものでない場合は、サブアドレスデータは格納されない。ダウンロード済みフラグ欄には、ファイル名欄に格納されたファイル名のファイル本体がデータベース１４３から携帯通信端末８Ａ〜８Ｆにダウンロードされたかどうかを示すフラグＦが格納される。また、着信したメッセージデータ等はメッセージフィールド（ＭＦ）１０３Ｇ内で携帯通信端末８Ａ〜８Ｆにその内容が格納される。ファイル名欄には、着信データに含まれるファイル名が格納される。サイズ欄には、ファイル名欄に格納されたファイル名のファイルのサイズが格納される。記録時刻欄には、図３１〜３３に示した情報管理テーブル１４５内の記録時刻欄に格納される記録時刻と同一の記録時刻が格納される。着信時刻欄には、メッセージデータ着信時の着信時刻が格納される。メッセージデータ欄には、携帯通信端末８Ａ〜８Ｆに送信されたメッセージの内容が格納される。
【０２０４】
データメモリＤＤＲは、当該携帯通信端末８Ａ〜８Ｆで作成処理したデータをファイル名を付けて格納したり、また、後述するデータベース１４３からのダウンロード処理に関し、ダウンロードされたファイル（添付ファイル）を格納するエリアを有する。また、当該携帯通信端末８Ａ〜８Ｆで作成処理したデータファイルを、データベース１４３へアップロードする際は、このエリアに格納されたものがアップロードの対象となる。
【０２０５】
ワークエリアＷＲは、実際に処理中のデータを一時的に格納する為のエリアである。携帯通信端末８において、アンテナ８１、受信部８２、デコーダ８３、バッファメモリ８５、デインタリーブ回路８６、ＩＤ−ＲＯＭ９０、ドライバ９３、スピーカー９４、バイブレータ９５及びＬＥＤ９６の構成は、それぞれ第１の実施の形態のページャー６の対応するものの構成と実質的に同一である。
【０２０６】
次に、本第２の実施の形態の動作を説明する。
【０２０７】
本実施の形態の通信システムでは、オフィス１４のデータベース１４３に情報が蓄積されていることをメッセージとして携帯通信端末８Ａ〜８Ｆに送信し、その情報を携帯通信端末８Ａ〜８Ｆにダウンロードするまでの処理を例として説明する。また、サーバー１４２にアクセスすることにより、ダウンロードした情報に対して電子メールなどによりメッセージをデータベース１４３にアップロードする場合について説明する。
【０２０８】
この通信システムにおいて実行される一連の処理として、まず、図２６のオフィス１４内のサーバー１４２がオートで実行する処理について、図４１に示すフローチャートを参照して説明する。
【０２０９】
サーバー１４２は、常に動作しておりＩＳＤＮ網２からの回線接続を待機する状態にあるとともに、情報管理テーブル１４６内のテーブルマネージャーＴＭＲ及び管理テーブルＴＢＲに格納されている管理情報に基づいて、情報記憶部１４５に格納された情報に対応するメッセージデータを一定時間毎（例えば、１時間毎）に、ページングセンター３及び送信局５を介して携帯通信端末８Ａ〜８Ｃに一斉に送信する。
【０２１０】
オフィス１４のサーバー１４２は、上記待機状態において、入出力回路４１からアクセスＮｏ．（１）が入力されたかどうかを判別することによってＩＳＤＮ網２を介して回線接続の有無を検出する（ステップＳ４１）。ステップＳ４１で回線接続を検出しなかった場合は、コードデータの一斉送信の送信時刻か否かを判別する（ステップＳ４２）。例えば、前回の送信時刻が１１時であり、今回の送信時刻が１２時か否かを計時部４４を参照して判別する。ステップＳ４２で一斉送信時刻でないと判別した場合は、待機状態に戻る。ステップＳ４２一斉送信時刻になったと判別した場合は、情報管理テーブル１４６を検索する（ステップＳ４３）。そして、情報管理テーブル１４６の検索により、前回の送信時刻（１１時）の後に記録された情報が情報記憶部１４５有るか否かを判別する（ステップＳ４４）。すなわち、管理テーブルＴＢＲ１〜ＴＢＲ４に格納されている記録時刻を参照して前回の送信時刻（１１時）の後に記録された情報の有無を、各テーブルＮｏ．毎に判別する。
【０２１１】
ステップＳ４４で前回の送信時刻（１１時）の後に記録された情報が無いと判別した場合は、待機状態に戻る。ステップＳ４４で前回の送信時刻（１１時）の後に記録された情報が有ると判別した場合は、複数本の情報が存在するか否かを、管理テーブルＴＢＲ１〜ＴＢＲ４を参照してチェックする（ステップＳ４５）。ステップＳ４５で管理テーブルＴＢＲを参照した結果、複数本の情報が存在しない場合は、ステップＳ４７に移行する。複数本の情報が存在する場合は、管理テーブルＴＢＲに格納されているそれらの情報に対応するメッセージデータ、ファイル名、サイズ及び記録時刻、さらにテーブルマネージャＴＭＲに格納されているコードデータを、サブアドレスデータ毎にバッファ領域１４７に一時格納する（ステップＳ４６）。
【０２１２】
この時（１２時ちょうど）、管理テーブル１４６の管理テーブルＴＢ１〜ＴＢ４には、図３１〜図３３に示すように、新たに記録されたメッセージデータ、添付ファイル格納アドレス、ファイル名、サイズ及び記録時刻が格納されているものとする。
【０２１３】
サーバー１４２からアドレスデータ＃Ｃ（ＩＰアドレスデータであり、携帯通信端末８Ａ〜８Ｆのグループアドレスデータ）によるデータ送信を依頼するデータをＩＳＤＮ１２を介してページングセンター３に送出する（ステップＳ４７）。そして、ステップＳ４６でバッファ領域１４７に格納されたメッセージデータ、ファイル名、サイズ、記録時刻、及びコードデータをページングセンター３へ送出する（ステップＳ４８）。そして、本フローチャートの処理を終了する。
【０２１４】
ページングセンター３は、ステップＳ４でデータ処理システムから送出されてきた一連のデータを処理し送信局５を介して、アドレスデータ＃Ｃを有する携帯通信端末８Ａ〜８Ｆに送信する。
【０２１５】
図４２は、ページングセンター３からへ送出されるメッセージフィールド（ＭＦ）１０３Ｇのデータ構成を示すものである。図示される通り、サブアドレスデータ毎に少なくとも１組以上のメッセージデータ、コードデータ、ファイル名、サイズ及び記録時刻の組からなるデータが格納されている。
【０２１６】
次に、このページングセンター３から送信されたデータは、携帯通信端末８Ａ〜８Ｆに着信されるが、この携帯通信端末８Ａ〜８Ｆにおけるデータの着信時の処理は、第１の実施の形態においてページャー６、６’が行う処理（図１８）と実質的に同一である。
【０２１７】
この着信処理によって、例えば、携帯通信端末８ＥのＲＡＭ９２内のメッセージメモリＭＭＲには、図４３に示すようなデータが格納される。携帯通信端末８Ｅの表示部８７ａには、図４３に示すようにメッセージメモリＭＭＲに格納されたデータに基づいて表示制御処理（図１８、ステップＳ１５）を行うことによって、図４４に示す画像が表示される。この画像においては、着信したデータに基づいて次のようなデータが表示される。参照符号０ａで示すように、サブアドレスデータに基づいて誰宛のメッセージであるか（この例では、営業１課の社員宛）が表示される。参照符号０ｂで示すように、同時に着信したメッセージの数とそのうちの何番目のメッセージであるか（この例では、４つのメッセージ中の１番目）が表示される。参照符号０ｃで示すように、着信したメッセージデータの内容（この例では、「サンプリングデータ送ります。」）が表示される。参照符号０ｄで示すように、着信したコードデータに対応する表示制御メモリＤＭ１２に格納されている表示制御内容が表示される。この例では、音声データであることを示すアイコンと、ファイル名“ＳＡＭ．ＷＡＶ”と、サイズ“７０ＫＢ”と、記録時刻“１１：０５”が表示される。さらに、この画像においては、「着信メッセージ」の表題と、着信日時と、後述する読み出しモード時にデータベース１４３からの情報のダウンロードを指定するための指示文とが表示される。
【０２１８】
次に、メッセージを着信した携帯通信端末８Ａ〜８Ｆにデータベース１４３に蓄積されたデータをダウンロードし、さらにダウンロードされたデータに対するメッセージなど、データを携帯通信端末８Ａ〜８Ｆからデータベース１４３にアップロードするまでの処理について説明する。ここでは、携帯通信端末８Ｅにおける処理を例としてあげるが、他の携帯通信端末においても同様に処理可能である。
【０２１９】
図４５、図４６は、携帯通信端末８Ｃの制御部８４によって実行されるモード検出の処理及び読み出しモード時の処理を示すフローチャートである。図４７は、携帯通信端末８Ｅの制御部８４によって実行されるメッセージ送信モード時の処理を示すフローチャートである。これらのフローチャートの処理は、携帯通信端末８Ｅのユーザがキー入力部８９を操作することによってスタートする。このとき、携帯通信端末８Ｅは、モデム９を介してＩＳＤＮ１２と接続されているものとする。モデム９は、携帯通信端末８Ｅに内蔵されたものでも外付けのものであってもよい。また、図４７のフローチャートに移行するときは、サーバー１４２に送信する添付ファイルは既に用意され、携帯通信端末８ＥのＲＡＭ９２のデータメモリＤＤＲに格納されているものとする。
【０２２０】
処理がスタートすると、まず、制御部８４は、図４８に示すようなモードを選択するためのメニューを表示部８７ａに表示させる。このメニューは、“１．メッセージ送信”と“２．メッセージ読出”の２つのモードが選択できるようにするものである（ステップＳ６１）。この状態で、制御部８４は、タッチパネル８７ｂのいずれかのモードの表示位置に対応する位置がペンでタッチされたかどうかを検出することによってモードの選択が検出されたかどうかを判別する（ステップＳ６２）。ステップＳ６２でモードの選択が検出されていないと判別されるまでは、ステップＳ６１、Ｓ６２の処理を繰り返す。ステップＳ６２でモードの選択が検出されたと判別された場合は、制御部８４は、“メッセージ送信”と“メッセージ読出”とのいずれのモードが選択されたかを判別する（ステップＳ６３）。ステップＳ６３で“メッセージ読出”モードが選択されたと判別された場合は、ステップＳ６４の処理に進む。一方、ステップＳ６３で“メッセージ送信”モードが選択されたと判別された場合は、図４７のステップＳ８５の処理に進む。
【０２２１】
ステップＳ６４では、制御部８４は、図４９に示すように、アドレスデータ毎に着信したメッセージデータの件数を表示部８７ａに表示させる。この例では、図４３に示すようにメッセージメモリＭＭＲにメッセージデータが記憶されており、１番目のアドレスデータ（＃Ａ）に１件、２番目のアドレスデータ（＃Ｂ）に０件、社内アドレスデータ（＃Ｃ）に４件のメッセージデータが着信したことが表示されている。次に、制御部８４は、携帯通信端末８Ｅのユーザがタッチパネル部８７ｂのいずれかのアドレスデータに対応する位置をペンでタッチすることによって、表示部８７ａに表示されているアドレスデータのうちのいずれかのアドレスデータが選択されたかどうかを判別する（ステップＳ６５）。ステップＳ６５でアドレスデータが＃Ｃが選択されたと判別したときは、ステップＳ６６の処理に進む。ステップＳ６５でアドレスデータ＃Ａまたは＃Ｂが選択された判別したときは、後述するステップＳ８２の処理に進む。ステップＳ６５でいずれのアドレスデータも選択されていないと判別したときは、ステップＳ６４、Ｓ６５の処理を繰り返す。
【０２２２】
ステップＳ６６では、制御部８４は、図５０に示すように、選択されたアドレスデータ＃Ｃのメッセージのすべてを表示部８７ａにリストにして表示させる。このリストでは、各メッセージデータの前に、チェックボックスとメッセージの宛先とが表示される。メッセージメモリＭＭＲ内のダウンロード済みフラグがセットされているとき、チェックボックス内に“∨”マークが表示される。宛先は、メッセージメモリＭＭＲ内のサブアドレスデータに基づいて、「社」（社員全員）、「営１」（営業１課）、或いは「個」（端末を有する個人宛）のいずれかが表示される。次に、制御部８４は、携帯通信端末８Ｅのユーザがタッチパネル部８７ｂのいずれかのメッセージに対応する位置をペンでタッチしたかどうかを判別することによって、表示部８７ａに表示されているメッセージデータのうちのいずれかのメッセージデータが選択されたかどうかを判別する（ステップＳ６７）。ステップＳ６７でいずれのメッセージデータも選択されていないと判別したときは、ステップＳ６６、Ｓ６７の処理を繰り返す。ステップＳ６７でいずれかのメッセージデータが選択されたと判別したときは、制御部８４は、メッセージメモリＭＭＲ内にコードデータが選択されたメッセージデータと対応付けられて記憶されているかどうかを判別する（ステップＳ６８）。
【０２２３】
ステップＳ６８でコードデータが記憶されていると判別したときは、制御部８４は、図５１に示すように、表示制御プログラムメモリＤＭ１２に従ってステップＳ６７で選択したメッセージデータと共に対応するファイルに関する情報を表示部８７ａに表示させる。ここで表示部８７ａに表示される画像は、図４４に示したものと同一である（ステップＳ６９）。次に、制御部８４は、ダウンロードの指定が検出されたかどうか、すなわち、図５１に示す「ダウンロードしますか？」という問に対して、タッチパネル部８７ｂの“Ｙ”の表示位置がペンでタッチされたかどうかを判別する（ステップＳ７０）。ステップＳ７０でダウンロードの指定が検出されないと判別されたときは、ステップＳ６９、Ｓ７０の処理を繰り返す。
【０２２４】
ステップＳ６９でダウンロードの指定が検出されたときは、表示制御プログラムメモリＤＭ１１内のアドレスデータ＃Ｃに対応して格納されているアクセスＮｏ．（１）“００００−０００−０００”を読み出して、送信バッファ９７に格納する。さらに、ステップＳ６７で選択されたメッセージデータに対応するコードデータ、アクセスＮｏ．（２）、ファイル名をメッセージメモリＭＭＲから読み出して、送信バッファ９７に格納する（ステップＳ７１）。次に、制御部８４は、図５２に示すようなアクセスＮｏ．（１）の出力を待機する画像を表示部８７ａに表示させる（ステップＳ７２）。この状態で、制御部８４は、アクセスＮｏ．（１）の出力の実行が検出されたかどうか、すなわち、図５２に示す“実行？”の問に対して、タッチパネル部８７ｂの“Ｙ”の表示位置がペンでタッチされたかどうかを判別する（ステップＳ７３）。ステップＳ７３でアクセスＮｏ．（１）の出力の実行が検出されないと判別されたときは、ステップＳ７２、Ｓ７３の処理を繰り返す。ステップＳ７３でアクセスＮｏ．（１）の出力の実行が検出されたと判別したときは、アクセスＮｏ．（１）を出力し、モデム９及びＩＳＤＮ１２を介して、携帯通信端末８Ｅとサーバー１４２とを回線接続させる。制御部８７は、この回線接続を検出することによってステップＳ７４の処理に進む。
【０２２５】
ステップＳ７４では、制御部８４は、図５３に示すようなコードデータ、アクセスＮｏ．（２）及びファイル名（以下、後続データという）の出力を待機する画像を表示部８７ａに表示させる（ステップＳ７５）。この状態で、制御部８４は、後続データの出力の実行が検出されたかどうか、すなわち、図５３に示す“実行？”の問に対して、タッチパネル部８７ｂの“Ｙ”の表示位置がペンでタッチされたかどうかを判別する（ステップＳ７６）。ステップＳ７５で後続データの出力の実行が検出されないと判別されたときは、ステップＳ７５、Ｓ７６の処理を繰り返す。ステップＳ７５で後続データの実行が検出されたと判別したときは、送信バッファ９７に格納された後続データをインタフェース９８、モデム９、ＩＳＤＮ１２を介して順次サーバー１４２に出力する（ステップＳ７７）。
【０２２６】
ステップＳ７７で後続データがサーバー１４２に出力されると、オフィス１４のサーバ１４２は、データベース１４３から対応するファイルを読み出し、モデム１４１、ＩＳＤＮ１２を介して当該ファイルの携帯通信端末８Ｅへの送信を開始する。これによって、当該ファイルの携帯通信端末８Ｅへのダウンロードが開始される（ステップＳ７８）。
【０２２７】
ダウンロードが開始されると、制御部８４は図５４に示すような、ダウンロードされたデータ量をグラフで示すダウンロード実行中の画像を表示部８７ａに表示させる。この画像の表示と並行して、制御部８４は、ファイルのダウンロードを終了したことを示す終了信号を検出したかどうかを判別する（ステップＳ７９）。ステップＳ７９で終了信号を検出していないと判別したときは、ステップＳ７８、Ｓ７９の処理を繰り返す。ステップＳ７９で終了信号を検出したと判別したときは、メッセージメモリＭＭＲ中の対応するダウンロード済み確認フラグＦを“１”にセットする（ステップＳ８０）。そして、ステップＳ６６の処理に戻る。このとき、表示部８７ａに表示されるメッセージのリストには、図５５に示すように、メッセージ「サンプリングデータ送ります。」に対応するチェックボックスに“∨”マークが表示される。
【０２２８】
ステップＳ６８でコードデータが記憶されていないと判別したときは、制御部８４は、当該着信メッセージの内容をすべて表示部８７ａに表示させる（ステップＳ８１）。この状態からキー入力部８９を操作することによって制御部８４に割り込みが生じ、制御部８４は、このフローチャートの処理を終了する。
【０２２９】
ステップＳ８２では、ステップＳ８２では、制御部８４は、ステップＳ６６での処理と同様に、選択されたアドレスデータに対応するメッセージのリストを表示部８７ａに表示させる。但し、アドレスデータ＃Ａ或いはアドレスデータ＃Ｂでの着信メッセージには、対応するファイルはデータベース１４３に格納されていることがないので、図５０に示したリストと異なり、チェックボックスは表示されない。次に、制御部８４は、携帯通信端末８Ｅのユーザがタッチパネル部８７ｂのいずれかのメッセージに対応する位置をペンでタッチしたかどうかを判別することによって、表示部８７ａに表示されているメッセージデータのうちのいずれかのメッセージデータが選択されたかどうかを判別する（ステップＳ８３）。ステップＳ８３でいずれのメッセージデータも選択されていないと判別したときは、ステップＳ８２、Ｓ８３の処理を繰り返す。ステップＳ８３でいずれかのメッセージデータが選択されたと判別したときは、制御部８４は、当該着信メッセージの内容をすべて表示部８７ａに表示させる（ステップＳ８４）。この状態からキー入力部８９を操作することによって制御部８４に割り込みが生じ、制御部８４は、このフローチャートの処理を終了する。
【０２３０】
図４７のステップＳ８５では、表示部８７ａにメッセージのアップロード先のアクセスＮｏ．（２）を入力するための画像が表示される。この表示に従って、携帯通信端末８Ｅのユーザはタッチパネル部８７ｂをペンでタッチしてアップロード先のアクセスＮｏ．（２）を入力する。アクセスＮｏ．（２）の入力を終了すると、携帯通信端末８Ｅのユーザは、タッチパネル部８７ｂの入力の終了を指示するボックスの位置をペンでタッチする。制御部８４は、タッチパネル部８７ｂのこのボックスの位置がタッチされたかどうかを判別することによって、入力の終了を検出したかどうかを判別する（ステップＳ８６）。ステップＳ８６で入力の終了を検出したと判別するまでは、ステップＳ８５、Ｓ８６の処理を繰り返す。ステップＳ８６で入力の終了を検出したと判別したときは、ステップＳ８６で入力の終了を検出したと判別したときは、ステップＳ８５で入力したアクセスＮｏ．（２）を送信バッファ９７に格納する（ステップＳ８７）。
【０２３１】
次に、表示部８７ａにメッセージを入力するための画像が表示される。この指示に従って、携帯通信端末８Ｅのユーザはタッチパネル部８７ｂをペンでタッチしてメッセージを入力する（ステップＳ８８）。メッセージの入力が終了すると、携帯通信端末８Ｅのユーザは、タッチパネル部８７ｂの入力の終了を指示するボックスの位置をペンでタッチする。制御部８４は、タッチパネル部８７ｂのこのボックスの位置がタッチされたかどうかを判別することによって、入力の終了を検出したかどうかを判別する（ステップＳ８９）。ステップＳ８９で入力の終了を検出したと判別するまでは、ステップＳ８８、Ｓ８９の処理を繰り返す。ステップＳ８９で入力の終了を検出したと判別したときは、ステップＳ８６で入力の終了を検出したと判別したときは、ステップＳ８８で入力したメッセージを送信バッファ９７に格納する（ステップＳ９０）。
【０２３２】
次に、表示部８７ａに添付するファイルを指示するための画像が表示される。この画像では、データメモリＤＤＲに格納されたすべてのファイルがリストとして表示される。携帯通信端末８Ｅのユーザは、このリストから添付するファイルを選択してタッチパネル部８７ｂの対応する位置をペンでタッチすることによって、添付するファイルを指示する（ステップＳ９１）。ステップＳ９２では、ステップＳ９１で添付するファイルの指示があったかどうかを判別する。ステップＳ９２で添付するファイルの指示があったと判別するまでは、ステップＳ９１、Ｓ９２の処理を繰り返す。ステップＳ９２で添付するファイルの指示があったと判別したときは、制御部８４は、添付するファイル名の拡張子に基づいてコードデータを選択する。例えば、拡張子が“ＴＸＴ”であるときは、文書データであるので、コードデータとして“］］０２”が選択される。そして、制御部８４は、選択したコードデータを送信バッファ９７に格納する（ステップＳ９３）。制御部８４は、添付するファイル、そのファイル名、サイズを送信バッファ９７に格納する。さらに、制御部８４は、アクセスＮｏ．（１）をＩＤ−ＲＯＭ９０から読み出して、送信バッファ９７に格納する（ステップＳ９４）。
【０２３３】
次に、制御部８４は、図５２に示すのと同様のアクセスＮｏ．（１）の出力を待機する画像を表示部８７ａに表示させる（ステップＳ９５）。この状態で、制御部８４は、アクセスＮｏ．（１）の出力の実行が検出されたかどうか、すなわち、“実行？”の問に対して、タッチパネル部８７ｂの“Ｙ”の表示位置がペンでタッチされたかどうかを判別する（ステップＳ９６）。ステップＳ９６でアクセスＮｏ．（１）の出力の実行が検出されないと判別されたときは、ステップＳ９５、Ｓ９６の処理を繰り返す。ステップＳ９６でアクセスＮｏ．（１）の出力の実行が検出されたと判別したときは、アクセスＮｏ．（１）を出力し、モデム９及びＩＳＤＮ１２を介して携帯通信端末８Ｅとサーバー１４２とを回線接続させる（ステップＳ９７）。制御部８７は、この回線接続を検出することによってステップＳ９８の処理に進む。
【０２３４】
ステップＳ９８では、制御部８４は、メッセージ、コードデータ、アクセスＮｏ．（２）、添付するファイル、ファイル名及びサイズ（以下、後続データという）の出力を待機する画像を表示部８７ａに表示させる（ステップＳ９７）。この状態で、制御部８４は、後続データの出力の実行が検出されたかどうか、すなわち、“実行？”の問に対して、タッチパネル部８７ｂの“Ｙ”の表示位置がペンでタッチされたかどうかを判別する（ステップＳ９９）。ステップＳ９９で後続データの出力の実行が検出されないと判別されたときは、ステップＳ９８、Ｓ９９の処理を繰り返す。ステップＳ９９で後続データの実行が検出されたと判別したときは、送信バッファ９７に格納された後続データをインタフェース９８、モデム９、ＩＳＤＮ１２を介して順次オフィス１４に出力する（ステップＳ１００）。これにより、後続データがオフィス１４にアップロードされ、アクセスＮｏ．（２）やコードデータに従って、メッセージ、ファイル名及びサイズ、並びに添付したファイルがデータベース１４３に記憶される。
【０２３５】
以上説明したように、本実施の形態の通信システムでは、データベース１４３にどのようなデータファイルが蓄積されたかをページングシステムを利用してオフィス１４から携帯通信端末８Ａ〜８Ｆに送信する。このため、携帯通信端末８Ａ〜８Ｆのユーザ（社員）は、データベース１４３に蓄積されたデータファイルをダウンロードする前にどのようなデータファイルがデータベース１４３に蓄積されているか、たとえば、蓄積されているデータの属性やサイズを予め知ることができる。このため、いきなりデータをダウンロードされて携帯通信端末８Ａ〜８Ｆのメモリの容量が不足してしまうという事態を防ぐことができる。
【０２３６】
また、データベース１４３に蓄積されたデータを携帯通信端末８Ａ〜８Ｆにダウンロードする場合も、表示部８７ａに表示される画像に従って、
▲１▼  タッチパネル８７ｂを操作してデータのダウンロードを指示する。
▲２▼  タッチパネル８７ｂを操作してアクセスＮｏ．（１）を出力する。
▲３▼  タッチパネル８７ｂを操作して後続データを出力する。
だけで携帯通信端末８Ａ〜８Ｆとサーバー１４２との間が回線接続され、データベース１４３に蓄積されたデータがダウンロードされる。このため、データベース１４３に蓄積されたデータを携帯通信端末８Ａ〜８Ｆにダウンロードするための操作が簡単になる。また、データベース１４３に蓄積するデータは、携帯通信端末８Ａ〜８Ｆからアップロードすることもできる。このため、携帯通信端末８Ａ〜８Ｆの相互間でデータのやりとりを行うことができる。
【０２３７】
上記の実施の形態では、ＲＯＭ９１の記憶内容は、表示制御プログラムメモリＤＭ１１、表示制御プログラムメモリＤＭ１２、キャラクタジェネレータＣＧ及びプログラムメモリＰＭであった。しかしながら、ＲＯＭ９１の記憶内容に、他のプログラム（アプリケーションプログラム）やデータなどを加えてもよい。
【０２３８】
図５６は、上記の実施の形態の変形例であるアプリケーションプログラムマネージャメモリＡＰＭＭを設けたＲＯＭ９１の記憶内容を示す図である。このアプリケーションプログラムマネージャメモリＡＰＭＭに格納されたアプリケーションプログラムマネージャは、例えば、メッセージデータに付加されていたデータファイルの属性を示すコードデータやファイル名の拡張子から携帯通信端末８Ａ〜８Ｆに当該ファイルを実行可能なアプリケーションプログラムが１つ以上ＲＯＭ９１のプログラムメモリＰＭに格納されているかどうかを判断する。
【０２３９】
そして、当該ファイルを実行するアプリケーションプログラムがないと判断されたときは、図４４に示す画像の「ダウンロードしますか？  Ｙ／Ｎ」の部分を「実行するプログラムがありません。」と変えた着信メッセージを表示部８７ａに表示する。これにより、不要なデータによってメモリが消費されることを防ぐことができる。
【０２４０】
図５７は、上記第２の実施の形態の変形例であるダウンロードデータマネージャメモリＤＤＭＭを設けたＲＯＭ９１の記憶内容を示す図である。このダウンロードデータマネージャメモリＤＤＭＭに格納されたダウンロードデータマネージャは、メッセージデータに付加されていたサイズをＲＡＭ９２のデータメモリＤＤＲの空き容量と比較するものである。比較の結果、データメモリＤＤＲの空き容量が当該サイズのデータをダウンロードするのに十分でなかったときは、図４４に示す画像の「ダウンロードしますか？  Ｙ／Ｎ」の部分を「メモリの空き容量が足りません。」と変えた着信メッセージを表示部８７ａに表示する。この場合、このままで当該ファイルをダウンロードすることが禁止される。これにより携帯通信端末８Ａ〜８Ｆのユーザは、不要なファイルを整理してデータメモリＤＤＲに十分な空き領域を作ってからデータをダウンロードすることが可能となる。
【０２４１】
また、携帯通信端末８Ａ〜８Ｆにおいて、メッセージデータに対応するファイルをダウンロードすることができる条件がすべて整っている場合、すなわち、データメモリＤＤＲの空き容量があり、当該ファイルを実行するアプリケーションプログラムもある場合は、図４５のステップＳ７０でダウンロードをするかどうかのユーザからの確認を待たずに、当該ファイルをダウンロードしてもよい。
【０２４２】
本第２の実施の形態の携帯通信端末８Ａ〜８Ｆでも、第１の実施の形態のページャー６と同様に、ユーザが所望するコードデータに対応して受信制御情報を格納して、所望の携帯のデータがデータベース１４３に蓄積されたことを示すメッセージデータのみを表示部８７ａに表示させてもよい。図５７は、この場合に使用される表示制御プログラムメモリＤＭ１２の記憶内容の例を示す。図５７の表示制御プログラムメモリＤＭ１２では、コードデータ欄に“］］０１”〜“］］０６”を格納し、受信制御フラグ欄にそれぞれ“１”、“０”、“０”、“１”、“０”、“０”を格納している。この場合、受信制御フラグが“１”に設定されているコードデータ“］］０１”及び“］］０４”に対応する音声データと静止画像データがデータベース１４３に蓄積されている場合のみ、メッセージデータが表示部８７ａに表示される。
【０２４３】
本第２の実施の形態では、携帯通信端末８Ａ〜８Ｆは、ページャーの機能を有するものであり、このページャー機能を利用してデータベースに蓄積されたデータに関する情報を送信していた。しかしながら、ページャーは携帯通信端末とは別個の個体としてもよい。この場合は、ページャーの機能を有しない携帯端末やＰＣを所持する社員などにもデータベースに蓄積されたデータに関する情報を送信することができる。
【０２４４】
また、本実施の形態では、サーバー１４２は、データベース１４３にデータファイルが新たに格納された時、サブアドレスデータによって指定される携帯端末に、簡単なメッセージとともに、識別情報を送信して、該データベース１４３に格納されたデータのダウンロードを指示していたが、これに限らず、サーバー１４２は、データベース１４３において、データファイルが削除されたり、データファイルがコピーされたり、何かしらの処理が発生したことを検出すると、処理されたデータベース１４３のテーブルよりサブアドレスを特定し、当該処理の発生を、このサブアドレスで特定される携帯端末に送信するようにしてもよい。
【０２４５】
さらに上記第１、及び第２の実施例では、ページングシステムを利用して、サブアドレス、及びコードデータ等の識別情報を送信するようにしていたが、これに限らず、ＰＣＳシステムで使用される、回線接続の為の制御チャネルを利用して、識別情報を送信するようにしても良い。
【０２４６】
そしてこのようにすることにより、例えば第２の実施の形態において、データ着信後、ユーザーの確認・指示をまってからダウンロードを実行していたことを、データ着信後、自動的に識別情報に従ってＰＣＳシステムを利用してデータ管理システムと回線接続し、ダウンロードを実行させるようにしても良い。
【０２４７】
【発明の効果】
請求項１記載の発明の携帯通信端末によれば、前記読出手段により記憶手段からメッセージデータが読み出された際、このメッセージデータに対応付けられて記憶された前記特定されるデータに対応するデータが既にダウンロードされているか否かが表示されるので、ユーザは受信したメッセージの内容と、対応するデータが既にダウンロードされたか否かを容易に確認できる。
【０２４８】
請求項２記載の発明の携帯通信端末によれば、前記携帯通信端末のユーザーは、受信したメッセージデータのリスト表示の際、このメッセージデータに対応付けられて記憶されている前記特定されるデータに対応するデータが既にダウンロードされているか否かを一度に確認することができる。
【０２４９】
請求項３記載の発明の携帯通信端末によれば、前記特定されるデータに対応するデータがダウンロード済みか否かをフラグ情報で管理するので、メッセージデータの読み出しの際、直ちにダウンロードされたか否かを表示させることができる。
【０２５０】
請求項４記載の発明の携帯通信端末によれば、ダウンロードされたデータをいつでも読み出して再生出力させることができる。
【０２５１】
請求項５記載の発明の携帯通信端末によれば、ユーザーは呼び出しを確認した後、直ちにメッセージデータと前記特定されるデータとを確認することができる。
【０２５２】
請求項６記載の発明の携帯通信端末の表示方法によれば、メモリからメッセージデータが読み出された際、このメッセージデータに対応付けられて記憶された前記特定されるデータに対応するデータが既にダウンロードされているか否かが表示されるので、ユーザは受信したメッセージの内容と、対応するデータが既にダウンロードされたか否かを容易に確認できる。
【図面の簡単な説明】
【図１】本発明の第１実施形態のページングシステムのシステム構成を示す図である。
【図２】図１のページングセンター３内部の概略構成を示すブロック図である。
【図３】図１のサービスセンター４内部の概略構成を示すブロック図である。
【図４】図３の情報管理テーブル４６の構成を示す図である。
【図５】図４のテーブルマネージャーＴＭの記憶内容を示す図である。
【図６】図４の情報管理テーブル内のテーブルＴＢ１の記憶内容を示す図である。
【図７】図１のページャー６の外観を示す図である。
【図８】図７のページャー６内部の概略構成を示すブロック図である。
【図９】図８のＲＯＭ７１内のメモリエリア構成を示す図である。
【図１０】図９の表示制御プログラムメモリＤＭ１内の記憶内容を示す図である。
【図１１】図９の表示制御プログラムメモリＤＭ２内の記憶内容を示す図である。
【図１２】図９のフリーワードマトリクスメモリＦＭ内に格納される変換用マトリクステーブルを示す図である。
【図１３】図８のＲＡＭ７２内のメモリエリア構成を示す図である。
【図１４】図１３のサブアドレス登録メモリＳＭ内の記憶内容を示す図である。
【図１５】図１３のメッセージメモリＭＭ内の記憶内容を示す図である。
【図１６】図３のサービスセンター内の制御部により実行される制御処理のフローチャートである。
【図１７】図１６のサービスセンター４の制御処理に基づいて、サービスセンター４よりページングセンター３へ出力され、メッセージフィールド（ＭＦ）１０３Ｇに格納されるデータの内容を示す図である。
【図１８】図８のページャー６により実行される着信処理のフローチャートである。
【図１９】図１８の着信処理により図１３のメッセージメモリＭＭに格納されたデータ内容の一例を示す図である。
【図２０】図８の制御部により実行される音声情報の出力依頼の制御処理のフローチャートである。
【図２１】図２０の制御処理において図８の表示部６１ａに表示される音声情報サービスメニューの一例を示す図である。
【図２２】図２１の音声情報サービスメニューでサービス内容が選択された場合に図８の表示部６１ａに表示されるサービス内容の一例を示す図である。
【図２３】図２２において選択されたサービス内容に対応する着信データの一部及び記録時刻を図８の表示部に表示した状態を示す図である。
【図２４】図２０の各ステップで選択されたサービス内容及び着信データに基づいて図８の表示部６１ａに表示される画像を示す図である。
【図２５】受信制御フラグを設定した表示制御プログラムメモリＤＭ２の記憶内容を示す図である。
【図２６】本発明の第２の実施の形態の通信システムの構成を示す図である。
【図２７】図２６のページングセンター３内部の概略構成を示すブロック図である。
【図２８】図２６のデータベース１４３の記憶内容を示す図である。
【図２９】図２８のデータベース内の情報管理テーブル１４６の記憶内容を示す図である。
【図３０】図２９の情報管理テーブル内のテーブルマネージャＴＭＲの記憶内容を示す図である。
【図３１】図２９の情報管理テーブル内の管理テーブルＴＢＲ１の記憶内容を示す図である。
【図３２】図２９の情報管理テーブル内の管理テーブルＴＢＲ２の記憶内容を示す図である。
【図３３】図２９の情報管理テーブル内の管理テーブルＴＢＲ３の記憶内容を示す図である。
【図３４】図２６の携帯通信端末８内部の概略構成を示すブロック図である。
【図３５】図３４のＲＯＭ９１内のメモリエリア構成を示す図である。
【図３６】図３５の表示制御プログラムメモリＤＭ１１内の記憶内容を示す図である。
【図３７】図３５の表示制御プログラムメモリＤＭ１２内の記憶内容を示す図である。
【図３８】図３４のＲＡＭ９２内のメモリエリア構成を示す図である。
【図３９】図３８のサブアドレス登録メモリＳＭＲ内の記憶内容を示す図である。
【図４０】図３８のメッセージメモリＭＭＲ内の記憶内容を示す図である。
【図４１】図２６のデータ処理システム内のサーバ１４２によって実行される処理を示すフローチャートである。
【図４２】図４１のサーバ１４２の処理に基づいて、オフィス１４よりページングセンター３へ出力され、メッセージフィールド（ＭＦ）７２Ｇに格納されるデータの内容を示す図である。
【図４３】携帯通信端末８における着信処理により図４０のメッセージメモリＭＭＲに格納されたデータ内容の一例を示す図である。
【図４４】携帯通信端末８における着信処理により図３４の表示部８７ａに表示される着信メッセージの一例を示す図である。
【図４５】図３４の制御部によって実行されるモード検出の処理及び読み出しモード時の処理を示す一部のフローチャートである。
【図４６】図４５に続いて制御部によって実行されるモード検出の処理及び読み出しモード時の処理を示す一部のフローチャートである。
【図４７】図３４の制御部によって実行されるメッセージ送信モード時の処理を示すフローチャートである。
【図４８】図４５のステップＳ６１の処理で表示部８７ａに表示される画像を示す図である。
【図４９】図４５のステップＳ６４の処理で表示部８７ａに表示される画像を示す図である。
【図５０】図４５のステップＳ６６の処理で表示部８７ａに表示される画像を示す図である。
【図５１】図４５のステップＳ６９の処理で表示部８７ａに表示される画像を示す図である。
【図５２】図４５のステップＳ７１、Ｓ７２の処理で表示部８７ａに表示される画像を示す図である。
【図５３】図４５のステップＳ７４、Ｓ７５の処理で表示部８７ａに表示される画像を示す図である。
【図５４】図４５のステップＳ７７の処理で表示部８７ａに表示される画像を示す図である。
【図５５】図４５のステップＳ８０からステップＳ６６に移行したときに表示部８７ａに表示される画像を示す図である。
【図５６】アプリケーションプログラムマネージャメモリを設けたＲＯＭ９１の記憶内容を示す図である。
【図５７】ダウンロードデータマネージャメモリを設けたＲＯＭ９１の記憶内容を示す図である。
【図５８】受信制御フラグを設定した表示制御プログラムメモリＤＭ１２の記憶内容を示す図である。
【図５９】高度ページングシステムの標準規格「ＲＣＲ  ＳＴＤ−４３」で規定されたデータ構成を示す図である。
【符号の説明】
１    公衆電話
２    公衆回線網
３    ページングセンター
４    サービスセンター
５    送信局（ＴＸ）
６、６´  ページャー
７    パーソナルコンピュータ（モデム付）
８    携帯情報端末（赤外線モデム付）
９    赤外線モデム
１０    ＰＤＡ（無線データ通信機能付）
１１    受信局（ＲＸ）
４１    入出力回路
４２    音声出力回路
４３    制御部
４４    時計部
４５    音声情報データベース
４６    音声情報管理テーブル
４７    ＲＡＭ
６１ａ  液晶表示部
６１ｂ  タッチパネル部
６２    ダイヤラキー
６３    キー入力部
６４    アンテナ
６５    受信部
６６    デコーダ
６７    制御部
６８    バッファメモリ
６９    デインタリーブ回路
７０    ＩＤ−ＲＯＭ
７１    ＲＯＭ
７２    ＲＡＭ
７３    ドライバ
７４    スピーカー
７５    バイブレータ
７６    ＬＥＤ
７７    送信バッファ
７８    Ｄ／Ａ変換部
７９    ダイヤラースピーカー
３０１  入出力回路
３０２  切換部
３０３  呼出番号照合部
３０４  加入者メモリ
３０５  音声応答回路
３０６  制御部
３０７  メッセージレジスタ
３０８  ベクトルレジスタ
３０９  アドレスレジスタ
３１０  送信信号処理部
３１１  ブロック情報記憶用メモリ
【図１】
0003770243.tif 000002
【図２】
0003770243.tif 000003
【図３】
0003770243.tif 000004
【図４】
0003770243.tif 000005
【図５】
0003770243.tif 000006
【図６】
0003770243.tif 000007
【図７】
0003770243.tif 000008
【図８】
0003770243.tif 000009
【図９】
0003770243.tif 000010
【図１０】
0003770243.tif 000011
【図１１】
0003770243.tif 000012
【図１２】
0003770243.tif 000013
【図１３】
0003770243.tif 000014
【図１４】
0003770243.tif 000015
【図１５】
0003770243.tif 000016
【図１６】
0003770243.tif 000017
【図１７】
0003770243.tif 000018
【図１８】
0003770243.tif 000019
【図１９】
0003770243.tif 000020
【図２０】
0003770243.tif 000021
【図２１】
0003770243.tif 000022
【図２２】
0003770243.tif 000023
【図２３】
0003770243.tif 000024
【図２４】
0003770243.tif 000025
【図２５】
0003770243.tif 000026
【図２６】
0003770243.tif 000027
【図２７】
0003770243.tif 000028
【図２８】
0003770243.tif 000029
【図２９】
0003770243.tif 000030
【図３０】
0003770243.tif 000031
【図３１】
0003770243.tif 000032
【図３２】
0003770243.tif 000033
【図３３】
0003770243.tif 000034
【図３４】
0003770243.tif 000035
【図３５】
0003770243.tif 000036
【図３６】
0003770243.tif 000037
【図３７】
0003770243.tif 000038
【図３８】
0003770243.tif 000039
【図３９】
0003770243.tif 000040
【図４０】
0003770243.tif 000041
【図４１】
0003770243.tif 000042
【図４２】
0003770243.tif 000043
【図４３】
0003770243.tif 000044
【図４４】
0003770243.tif 000045
【図４５】
0003770243.tif 000046
【図４６】
0003770243.tif 000047
【図４７】
0003770243.tif 000048
【図４８】
0003770243.tif 000049
【図４９】
0003770243.tif 000050
【図５０】
0003770243.tif 000051
【図５１】
0003770243.tif 000052
【図５２】
0003770243.tif 000053
【図５３】
0003770243.tif 000054
【図５４】
0003770243.tif 000055
【図５５】
0003770243.tif 000056
【図５６】
0003770243.tif 000057
【図５７】
0003770243.tif 000058
【図５８】
0003770243.tif 000059
【図５９】
0003770243.tif 000060